(57)【特許請求の範囲】
【請求項１】
人の耳に装着され、スピーカを有する第１の耳装着部と、
該第１の耳装着部が収納された第１の本体ケースと、
人の耳に装着され、スピーカを有する第２の耳装着部と、
該第２の耳装着部が収納された第２の本体ケースと、
前記第１の本体ケースの一端と前記第２の本体ケースの一端間に配設された第１の連結部を介して前記第２の本体ケースを前記第１の本体ケースに対して開閉自在とする連結手段と、
前記第１の本体ケースと前記第１の耳装着部間の距離を前記第１の本体ケースに対する前記第１の耳装着部の引き出し、折り畳み状態からの開放、及び取り外しのいずれか少なくとも一つにより延長自在で、前記第１の本体ケースの他端側に配設された第１の延長手段と、
前記第２の本体ケースと前記第２の耳装着部間の距離を前記第２の本体ケースに対する前記第２の耳装着部の引き出し、折り畳み状態からの開放、及び取り外しのいずれか少なくとも一つにより延長自在で、前記第２の本体ケースの他端側に配設された第２の延長手段とを備え、
前記連結手段を開き、前記各延長手段で距離を延長し、かつ前記第１の耳装着部と前記第２の耳装着部を両耳に装着させた状態でヘッドホンとして使用可能であると共に、
前記各延長手段による延長を戻し、前記各耳装着部をそれぞれ前記各本体ケースに収納した状態で前記連結手段で開閉自在の携帯電話として使用可能であることを特徴とするヘッドホン機能付携帯電話。
【請求項２】
前記第１の耳装着部が内側にディスプレイ部、外側にスピーカを有し、
かつ、前記第２の耳装着部が内側に操作部、外側にスピーカを有し、
前記第１の耳装着部及び前記第２の耳装着部が前記各本体ケースに対し収納された状態で前記連結手段で閉じられたときに前記ディスプレイ部と前記操作部とは互いに向き合うことを特徴とする請求項１記載のヘッドホン機能付携帯電話。
【請求項３】
前記第１の延長手段及び該第１の延長手段に連設された前記第１の耳装着部が内側に向けて複数段に折り畳まれた状態で第１の本体ケースに対し収納され、かつ、前記第２の延長手段及び該第２の延長手段に連設された前記第２の耳装着部が内側に向けて複数段に折り畳まれた状態で第２の本体ケースに対し収納され、前記第１の延長手段の表面にディスプレイ部が形成され、前記第２の延長手段の表面に操作部が形成されたことを特徴とする請求項１記載のヘッドホン機能付携帯電話。
【請求項４】
前記第１の本体ケースが第２の連結部を介して接続された２つのアームを有し、
かつ、前記第２の本体ケースが第３の連結部を介して接続された２つのアームを有し、
前記第１の連結部が前記第２の本体ケースを前記第１の本体ケースに対して垂直方向に回動自在であると共に、更に、該第２の本体ケースを裏返すことが可能であることを特徴とする請求項１記載のヘッドホン機能付携帯電話。
【発明の詳細な説明】
【技術分野】
【０００１】
本発明はヘッドホン機能付携帯電話に係わり、ポータブル音楽プレイヤーの機能を併せ持ち、ヘッドホンへの変形が可能でありながら、コンパクトに折り畳んで携帯することのできるヘッドホン機能付携帯電話に関する。
【背景技術】
【０００２】
近年、携帯電話は広く普及し、小型化、多機能化が進んでいる。一方で、移動中や外出先等でポータブル音楽プレイヤー等により音楽を楽しむ人が増え、小型で高性能のプレイヤーが開発されている。さらに、より高音質で聴くために、耳を覆うタイプのヘッドホンを別途携帯する使用者も増えている。
【発明の開示】
【発明が解決しようとする課題】
【０００３】
ところで、携帯電話は日常において常に携帯されるアイテムの一つであるが、その用途は通話及びインターネットによる通信のみとなっている。
【０００４】
さらに、ポータブル音楽プレイヤーについても同様であり、音楽を聴くためだけに、本体及びヘッドホンを持ち歩かなければならない。
【０００５】
また、ヘッドホンを使用して音楽を聴いているときに携帯電話に着信があれば、音楽を手動で中断し、ヘッドホンを外して電話にでなければならない。
【０００６】
本発明は、このような課題に鑑みてなされたものであり、携帯電話とポータブル音楽プレイヤーの機能を併せ持ち、ヘッドホンへの変形が可能でありながら、コンパクトに折り畳んで携帯することのできるヘッドホン機能付携帯電話を提供することを目的とする。
【課題を解決するための手段】
【０００７】
このため本発明（請求項１）は、人の耳に装着され、スピーカを有する第１の耳装着部と、該第１の耳装着部が収納された第１の本体ケースと、人の耳に装着され、スピーカを有する第２の耳装着部と、該第２の耳装着部が収納された第２の本体ケースと、前記第１の本体ケースの一端と前記第２の本体ケースの一端間に配設された第１の連結部を介して前記第２の本体ケースを前記第１の本体ケースに対して開閉自在とする連結手段と、前記第１の本体ケースと前記第１の耳装着部間の距離を前記第１の本体ケースに対する前記第１の耳装着部の引き出し、折り畳み状態からの開放、及び取り外しのいずれか少なくとも一つにより延長自在で、前記第１の本体ケースの他端側に配設された第１の延長手段と、前記第２の本体ケースと前記第２の耳装着部間の距離を前記第２の本体ケースに対する前記第２の耳装着部の引き出し、折り畳み状態からの開放、及び取り外しのいずれか少なくとも一つにより延長自在で、前記第２の本体ケースの他端側に配設された第２の延長手段とを備え、前記連結手段を開き、前記各延長手段で距離を延長し、かつ前記第１の耳装着部と前記第２の耳装着部を両耳に装着させた状態でヘッドホンとして使用可能であると共に、前記各延長手段による延長を戻し、前記各耳装着部をそれぞれ前記各本体ケースに収納した状態で前記連結手段で開閉自在の携帯電話として使用可能であることを特徴とする。
また、本発明（請求項２）は、前記第１の耳装着部が内側にディスプレイ部、外側にスピーカを有し、かつ、前記第２の耳装着部が内側に操作部、外側にスピーカを有し、前記第１の耳装着部及び前記第２の耳装着部が前記各本体ケースに対し収納された状態で前記連結手段で閉じられたときに前記ディスプレイ部と前記操作部とは互いに向き合うことを特徴とする。
更に、本発明（請求項３）は、前記第１の延長手段及び該第１の延長手段に連設された前記第１の耳装着部が内側に向けて複数段に折り畳まれた状態で第１の本体ケースに対し収納され、かつ、前記第２の延長手段及び該第２の延長手段に連設された前記第２の耳装着部が内側に向けて複数段に折り畳まれた状態で第２の本体ケースに対し収納され、前記第１の延長手段の表面にディスプレイ部が形成され、前記第２の延長手段の表面に操作部が形成されたことを特徴とする。
更に、本発明（請求項４）は、前記第１の本体ケースが第２の連結部を介して接続された２つのアームを有し、かつ、前記第２の本体ケースが第３の連結部を介して接続された２つのアームを有し、前記第１の連結部が前記第２の本体ケースを前記第１の本体ケースに対して垂直方向に回動自在であると共に、更に、該第２の本体ケースを裏返すことが可能であることを特徴とする。
更に、本発明は、人の耳に装着され、スピーカを有する少なくとも一つの耳装着部と、該耳装着部に対し接続自在の本体部とを備え、該本体部と前記耳装着部が一体化されたとき、一つの携帯電話として機能するようにされてもよい。
【０００８】
耳装着部と本体部が一体化されたとき、一つの携帯電話として機能する。一方、耳装着部と本体部とを分離させることでヘッドホンとして使用でき、ポータブル音楽プレイヤーとして楽しむことが可能となる。
【０００９】
また、ヘッドホン状態で使用しているときに電話への着信があっても、そのままの状態で通話へと移行することができる。
【００１０】
更に、本発明は、前記本体部には、音楽等を再生する再生手段、通話可能な通話手段、インターネットや電子メール等を行う通信手段、キー操作を行う操作手段、画像を表示する表示手段、前記耳装着部との交信を行う交信手段及び撮像可能な撮像手段のいずれか少なくとも一つを備えて構成されてもよい。
【００１１】
更に、本発明は、人の耳に装着され、それぞれにスピーカを有する一対の耳装着部と、該一対の耳装着部同士を開閉自在に連接する開閉手段とを備えて構成されてもよい。
【００１２】
耳装着部は、耳穴に挿入自在のイヤホンであってもよい。耳装着部同士を合わせてコンパクトに収納可能である。
【００１３】
また、一対の耳装着部は分離自在とされてもよい。分離した状態で耳に装着すれば、ヘッドホンとしても使用できる。
【００１４】
さらに、ヘッドホン状態で使用中に電話の着信があっても、一方の耳装着部（マイクを備えた場合）を外して口元にあてるだけで、簡単に通話へと移行することができる。
【００１５】
更に、本発明は、本体ケースと、人の耳に装着され、スピーカを有する少なくとも一つの耳装着部と、該耳装着部を前記本体ケースに収納する収納手段を備えて構成されてもよい。
【００１６】
耳装着部を本体ケースに収納することで省スペースに構成できる。また、本体ケースを携帯電話として使用したときに耳装着部が邪魔にならない。
【００１７】
更に、本発明は、第１の本体ケースと、第２の本体ケースと、該第２の本体ケース及び前記第１の本体ケースを開閉自在に連接する開閉手段と、前記第１の本体ケース及び前記第２の本体ケースのそれぞれに配設され、人の耳に装着され、スピーカを有する一対の耳装着部と、該耳装着部と前記第１の本体ケース又は前記第２の本体ケース間の各距離を引き出し、折り畳み、及び取り外し等のいずれか少なくとも一つにより延長する延長手段と、該延長手段による延長を戻した後、前記耳装着部を前記第１の本体ケース及び前記第２の本体ケースに折り畳み等により収納する収納手段を備えて構成されてもよい。
【００１８】
耳装着部と第１の本体ケース又は第２の本体ケース間の各距離を引き出し、折り畳み、及び取り外し等により延長することで、耳装着部を人の耳の最適な位置に配設することができる。耳装着部を第１の本体ケース及び第２の本体ケースに折り畳み等により収納することでコンパクトに構成できる。
【００１９】
更に、本発明は、前記第１の本体ケースと前記第２の本体ケース間、前記耳装着部と前記延長手段間、及び前記延長手段と前記第１の本体ケース若しくは前記第２の本体ケース間のいずれか少なくとも１ヵ所には前記頭部又は首回りに収縮自在の収縮手段を備えて構成されてもよい。
【００２０】
頭部又は首回りに収縮自在とすることで、耳装着部を人の耳に対し適当な押し付け力にて装着できる。
【００２１】
更に、本発明は、本体ケースと、人の耳に装着され、スピーカを有する一対の耳装着部と、該耳装着部を前記本体ケースに保持する耳掛部保持手段と、該耳掛部保持手段に対し前記耳装着部を回動自在とする回動手段とを備えて構成されてもよい。
【００２２】
耳掛部保持手段に対し耳装着部を回動自在とすることで、ユーザの希望の位置に耳装着部を位置合わせできる。
【００２３】
更に、本発明は、本体ケースと、人の耳に装着され、スピーカを有する一対の耳装着部と、マイクと、該マイクを前記耳装着部より引き出し・収納自在の引き出し・収納手段とを備えて構成されてもよい。
【００２４】
マイクを耳装着部に収納可能とすることで、耳に装着した状態で携帯電話に着信があった場合にも、耳装着部を取り外すことなく通話へと移行することが可能である。また、マイクを持つ必要がないため、両手をあけた状態で使用できる。
【００２５】
更に、本発明は、第１の本体ケースと、第２の本体ケースと、該第２の本体ケース及び前記第１の本体ケースを開閉自在に連接する第１の開閉手段と、第３の本体ケースと、第４の本体ケースと、該第３の本体ケース及び前記第４の本体ケースを開閉自在に連接する第２の開閉手段と、前記第２の本体ケースと前記第４の本体ケースとを連接しつつ、開閉自在とする第３の開閉手段と、前記第２の本体ケースに対し前記第４の本体ケースを回動自在とする回動手段と、前記第１の本体ケース及び／又は前記第３の本体ケースに収納され、かつ人の耳に装着され、スピーカを有する一対の耳装着部とを備え、前記第１の本体ケースと前記第３の本体ケース、前記第２の本体ケースと前記第４の本体ケースとは併設して開閉自在であることを特徴として構成されてもよい。
【００２６】
耳装着部等のヘッドホン使用時用部品を本体ケースの内部に完全に収納でき、また、変形方法も簡単である。各本体ケースは細く形成できるので、頭部に装着されても目立たない。
【００２７】
更に、本発明は、第１の本体ケースと、第２の本体ケースと、該第２の本体ケースを前記第１の本体ケースに対し開閉自在、着脱自在又は出没自在に連接する開閉等手段と、人の耳に装着され、それぞれにスピーカを有する一対の耳装着部と、該耳装着部が前記第１の本体ケース及び前記第２の本体ケースにそれぞれ装着されたことを特徴として構成されてもよい。
【００２８】
従来の携帯電話の形状を維持しつつ、簡単な構造でヘッドホン機能を付加することができる。
【００２９】
更に、本発明は、第３の本体ケースと、該第３の本体ケースを前記第１の本体ケース又は前記第２の本体ケースに対し開閉自在に連接する開閉手段と、該開閉手段と前記第１の本体ケース及び／又は前記第２の本体ケース間を通信する通信手段を備えて構成されてもよい。
【００３０】
第３の本体ケースを有する場合であっても、簡単な構造でヘッドホン機能を付加することができる。この第３の本体ケースを分離自在とすれば、第３の本体ケースを介して音楽等の再生や電子メール等の操作を行ったりできる。また、この第３の本体ケースにマイク及び表示部を配設すれば、耳装着部で相手の声を聞き、表示部で相手の顔を見ながら通話をすることができる。
【００３１】
更に、本発明は、第１のアームと、第２のアームと、該第２のアーム及び前記第１のアームを開閉自在に連接する開閉手段と、前記第１のアーム及び前記第２のアームのそれぞれに配設され、人の耳に装着され、スピーカを有する一対の耳装着部と、該耳装着部と前記第１のアーム又は前記第２のアーム間の各距離を引き出し、折り畳み、及び取り外し等のいずれか少なくとも一つにより延長する延長手段と、該延長手段による延長を戻した後、前記耳装着部を前記第１のアーム及び前記第２のアームに折り畳み等により収納する収納手段と、通話及び／又は通信処理を行う通話等手段とを備えて構成されてもよい。
【００３２】
アームを利用することで、軽量であり、従来にはない新たなデザインの携帯電話を提供することができる。また、各使用者に合わせて装着位置を調節できるため、装着時の感覚にも優れる。
【００３３】
更に、本発明は、人の耳に装着され、スピーカを有する第１の耳装着部と、本体ケースと、該本体ケースに対し引き出し、折り畳み、及び着脱等のいずれか少なくとも一つにより付帯され、かつ人の耳に装着され、スピーカを有する第２の耳装着部と、前記本体ケース及び前記第１の耳装着部を開閉自在に連接する開閉手段とを備えて構成されてもよい。
【００３４】
通常のヘッドホンと同様のデザインが可能であり、また、折り畳み時にはコンパクトに携帯することもできる。第１の耳装着部は本体ケースに付帯されているため、第１の耳装着部を耳からはずせば、単体で携帯電話として使用することもできる。この際には、第２の耳装着部を耳に装着した状態で通話してもよいし、第２の耳装着部を本体ケースに対し取付け等したまま、本体ケースを第１の耳装着部に対し開き通話するようにしてもよい。
【００３５】
更に、本発明は、前記第１の耳装着部、前記第２の耳装着部又は前記本体ケースにはマイクを備えて構成されてもよい。
【００３６】
携帯電話への着信があった場合には、マイクの配設された耳装着部を耳から外し、口元にあてて通話ができる。
【００３７】
更に、本発明は、前記本体部にはリモコン機能を有し、又は前記本体ケース、前記第１の本体ケース、前記第２の本体ケースのいずれかには着脱自在のリモコンを備えて構成されてもよい。
【００３８】
本体ケースを耳に装着した状態であっても、音楽の選曲操作や、携帯電話の通話、通信機能を、リモコンによって行うことができる。
【００３９】
更に、本発明は、前記開閉手段は開閉自在に連接されると共に分離可能であることを特徴として構成されてもよい。
【００４０】
開閉手段を分離可能とすることで、携帯時には一部材であり、使用時には分離して、両耳にヘッドホン機能を有する本体ケース及び／又は耳装着部を装着することができる。
【００４１】
また、通話部と表示部を分離させることで、表示部を見ながら通話を行うことが可能となり、テレビ電話として使用できる。
【００４２】
更に、本発明は、前記第１の本体ケース若しくは第１のアームと前記第２の本体ケース若しくは第２のアーム間の開き角度を通話に適した第１の角度に設定する第１の角度設定手段と、頭部又は首回りの傾斜に適した第２の角度に設定する第２の角度設定手段とを備えて構成されてもよい。
【００４３】
携帯電話に適した角度と、ヘッドホン機能に適した角度を切換可能としたので、ヘッドホン機能付携帯電話を一体形成できる。また、装着時の頭部への圧力及び装着角度を適当に調節可能としてもよい。この場合には、使用者個人にあった装着感を得ることができる。
【００４４】
更に、本発明は、人の耳に装着され、スピーカを有する少なくとも一つの耳装着部と、該耳装着部と有線又は無線にて接続され、通信及び／又は通話機能を有する本体部と、前記耳装着部に配設され、人の耳に指圧、マッサージ等の電気的刺激を伝達するパッドと、該パッドに対し電気的刺激を印加する印加手段とを備えて構成されてもよい。
【００４５】
携帯電話を使用しながら、または音楽を聴きながら、耳のマッサージを受けることが可能となる。耳には体の全箇所のツボが存在するので、マッサージ刺激は体の全箇所に対して行うことができる。また、携帯電話機能及びポータブル音楽プレイヤー機能を使用しない場合であっても、携帯電話として常に外出先に携帯されるため、携帯品を増やすことなく、外出先でのマッサージを行うことが可能となる。
【００４６】
更に、本発明は、前記耳装着部には前記人の耳を加温する加温手段を備えて構成されてもよい。
【００４７】
耳部を暖めることで、防寒効果が得られる。また、血行促進による健康効果、痩身効果が得られる。
【００４８】
更に、本発明は、前記耳装着部には耳骨を介して音声を抽出するマイクを備えて構成されてもよい。
【００４９】
耳装着部にマイクを配設することで、口元にマイクを当てることなく通話ができる。このため、耳装着部を耳に装着したままで、ハンズフリーでの通話が可能となる。また、騒音の激しい場所や、大きな声での通話が困難な場所であっても、快適な通話が可能となる。
【００５０】
更に、本発明は、前記耳装着部には表示部及び／又は操作部が備えられてもよい。
【００５１】
表示部には様々な案内や電子メール、インターネット等が表示される。他にも、様々なデザインを表示することで、他人に宣伝したり、耳装着部を使用者の好みに合わせたデザインにされてもよい。
【００５２】
また、操作部を備えたことで、別途リモコン等を使用せずに、耳装着部を耳に装着したままの状態で、選曲操作や、通話操作等を行うことができる。
【００５３】
更に、本発明は、前記耳装着部には耳掛けフックを備えて構成されてもよい。
【００５４】
耳掛けフックを使用することで、より一層の安定した使用感を得ることができる。耳掛けフックは耳装着部に対し着脱自在とされてもよいし、本体ケース等に収納自在とされてもよい。
【００５５】
更に、本発明は、人の耳に装着され、それぞれにスピーカを有する一対の耳装着部と、該一対の耳装着部同士を連接する連接部材と、該連接部材に対し着脱自在で、通信及び／又は通話機能を有する本体ケースとを備えて構成されてもよい。
【００５６】
本体ケースは連接部材から取り外して通話等可能である。また、本体ケースに固定することも可能なので、携帯に便利である。本体ケースと耳装着部とは、有線、無線により連絡されるようにしてもよい。この場合には、耳装着部を耳に装着しつつ通話等できる。また、リモコンとしても機能させることができる。従来のヘッドホン及び携帯電話の形状及び仕様を襲用することで、簡単かつ安価に構成することが可能となる。本体ケースと耳装着部とはそれぞれ独立して使用することも可能である。
【００５７】
更に、本発明は、送話口を有する第１の本体ケースと、受話口を有する第２の本体ケースと、該第２の本体ケース及び前記第１の本体ケースを開閉自在に連接する開閉手段と、該第２の本体ケース及び／又は前記第１の本体ケースはスライド可能な複数層から構成され、スライドされることで延長されてもよい。
【００５８】
例えば、携帯電話使用時にはスライドを延長する。携帯電話として使用しないときには、短縮することでコンパクトに収納できる。一方、スライド式にすれば、本体ケースをヘッドホン変形用の各部品のカバーとして兼用することも可能となり、デザイン的にも優れ、各部品の保護にもなる。
【００５９】
更に、本発明は、第１の本体ケースと、第２の本体ケースと、該第２の本体ケースと前記第１の本体ケース間を結ぶストラップとを備え、該ストラップは信号及び／又は電力を伝達する電線にて形成されたことを特徴とされてもよい。
【００６０】
第１の本体ケースと第２の本体ケースとを分離するような場合でも、ストラップを利用することで信号等の交信や電力供給が行えるので、簡素に構成できる。また、電線をストラップとしても使用できるため、別途ストラップを取りつける必要がない。
【発明の効果】
【００６１】
以上説明したように、本発明によれば、携帯電話とポータブル音楽プレイヤーの機能を併せ持ち、ヘッドホンへの変形が可能でありながら、コンパクトに折り畳んで携帯することのできるヘッドホン機能付携帯電話及び携帯電話を提供することができる。
【発明を実施するための最良の形態】
【００６２】
次に、本発明の第１実施形態について説明する。図１は本実施形態における携帯電話１のヒンジ５を開いた状態での全体図であり、図２は折り畳んだ状態の側面図である。携帯電話１は、通話、通信機能に加えて、音楽データの記録、再生機能も有しており、ポータブル音楽プレイヤーとして使用することも可能となっている（以下、各実施形態の携帯電話において同旨）。
図１及び図２に示すように、携帯電話１は、従来の携帯電話と同様にヒンジ５回りに開閉自在で、かつ開いた状態で電話として使用したり、電子メールやインターネットを利用することができるようになっている。また、携帯電話１よりスピーカ部を分離させて耳に装着し、ヘッドホンとして音声を聞くこともできるようになっている。このときの様子を図３に示す。
【００６３】
図１及び図２に示すように、携帯電話１は、リモコン部１５と耳掛け部１９Ａ、１９Ｂから構成されている。リモコン部１５と、耳掛け部１９Ａ、１９Ｂは、接続端子２１Ａ、２１Ｂによって着脱自在に接続されている。
【００６４】
リモコン部１５は、第１ディスプレイ７を有する基盤１１と、十字キー等１７、カメラ１２、リモコン部マイク１４を有する基盤１３がヒンジ５によって結合され、折り畳み可能となっている。
【００６５】
ディスプレイ側の基盤１１に接続された耳掛け部１９Ａには、折り畳み時に内側になる面に第２ディスプレイ９と、通話用スピーカ２３が配設されている。また、外側になる面には耳掛け部１９Ａを耳に装着するための耳掛けフック２７Ａと、装着時に耳に当接するヘッドホンスピーカ２８Ａが配設されている。
【００６６】
操作キー側の基盤１３に接続された耳掛け部１９Ｂには、耳掛け部１９Ａと同様に、内側面にダイヤルキー１８と通話用マイク２５が、外側面に耳掛けフック２７Ｂと、ヘッドホンスピーカ２８Ｂが配設されている。
【００６７】
図４は、図３中のＡ矢視線図であり、耳掛けフック２７Ａの正面図である。なお、耳掛けフック２７Ｂも同様の形態となっている。
【００６８】
図３に示すように、耳掛け部１９Ａ、１９Ｂと、リモコン部１５は、コード２９によって接続されている。コード２９は、耳掛け部１９Ａ、１９Ｂ、もしくはリモコン部１５の内部に配設された、図示しないリールによって伸縮自在となっている。なお、コード２９による有線に限ったものではなく、無線による通信にしてもよい。
【００６９】
次に、本発明の第１実施形態の作用について説明する。
図１に示すように、耳掛け部１９Ａ、１９Ｂをリモコン部１５と接続した状態で使用するときには、通話用マイク２５によって音声を入力し、通話用スピーカ２３によって出力する。
【００７０】
十字キー等１７、ダイヤルキー１８によって、情報の入力や文書の作成といった各種操作が行え、第１ディスプレイ７、第２ディスプレイ９によって表示される。また、使用しない場合には、図２に示すように折り畳んで携帯可能である。
【００７１】
第１ディスプレイ７、第２ディスプレイ９は画面が構造的に分離されている。このため、一画面は上下２つの部分に切断され、各ディスプレイで上部画像と下部画像とがそれぞれ分離表示されている。しかしながら、耳掛け部１９Ａ、１９Ｂがリモコン部１５と分離された場合には、第１ディスプレイ７はリモコン再生操作用の表示画面となる。なお、第２ディスプレイ９にて広告や所有者による何らかのメッセージ、画像等を表示するようにしてもよい。車中等の混雑した場所では、これらの広告等が人の目に触れることが想定される（以下、各実施形態の耳掛け部について同旨）。
【００７２】
図３に示すように、耳掛け部１９Ａ、１９Ｂをリモコン部１５から分離させると、接続端子２１Ａ、２１Ｂの接触分離状態を感知して、スピーカ機能が通話用スピーカ２３からヘッドホンスピーカ２８Ａ、２８Ｂへと、また、マイク機能が通話用マイク２５からリモコン部マイク１４へと切り替わる。
【００７３】
接続端子２１Ａ、２１Ｂの接触分離状態を感知させるには、接続端子２１Ａ、２１Ｂにはリミットスイッチを配設してもよいが、分離されたときの無電圧状態やインピーダンスの変化により検知するようにしてもよい。
【００７４】
耳掛け部１９Ａ、１９Ｂを耳に装着した状態では、各種操作は手元のリモコン部１５によって行える。第１ディスプレイ７で確認をしながら、十字キー等１７で入力操作を行う。但し、ソフトキーボード等の機能を搭載することにより、十字キー等１７のみでの数字、文章の入力や操作が可能とされてもよい。
【００７５】
従って、音楽を楽しみながら、選曲操作や曲名の入出力、検索、更にＥメール等の作成、送信も行える。また、同時並行してインターネットを楽しむこともできる。
【００７６】
耳掛け部１９Ａ、１９Ｂを耳に装着中に着信のあった場合には、リモコン部１５のリモコン部マイク１４によって会話をすることもできる。このとき、カメラ１２を用いてテレビ電話として使用することも可能である。即ち、第１ディスプレイ７に相手の映像を表示し、カメラ１２で撮影した映像をリアルタイムで相手に送信できる。なお、この送信画像を第１ディスプレイ７に小さく表示するようにしてもよい。
【００７７】
また、耳掛けフック２７Ａ、２７Ｂは後述するように取り外し自在とされてもよい。更に、耳掛けフック２７Ａ、２７Ｂは、通常時には耳掛け部１９Ａ、１９Ｂ及びリモコン部１５内に収納され、使用時に引き出して使用されるようにしてもよい。
【００７８】
更に、コード２９は１箇所の引き出し口よりまとめて引き出されるのが望ましい。そして、このコード２９は１本にまとめられ、途中から耳掛け部１９Ａ、１９Ｂに向けて分岐されるのが望ましい。
【００７９】
なお、耳掛け部１９Ａ、１９Ｂに配設されたヘッドホンスピーカ２８Ａ、２８Ｂは、図８１に示すように、耳孔挿入用突設部材７１５を突設したヘッドホンスピーカ７２０であってもよい。図８１（ａ）は、ヘッドホンスピーカ７２０の正面図であり、図８１（ｂ）はその側面図である。
【００８０】
ヘッドホンスピーカ７２０は、耳部へ当接する本体の当接部７２０ａの中央部から、耳孔挿入用突設部材７１５が突設された構造となっている。
【００８１】
耳孔挿入用突設部材７１５は、耳孔へと挿入され、スピーカ機能を有するとともに、耳孔に挿入、保持されることで、ヘッドホンスピーカ７２０及び各耳掛け部１９の支持を行う。
【００８２】
なお、耳孔挿入用突設部材７１５は、突設された状態を維持するのではなく、不使用の際にはヘッドホンスピーカ７２０の当接部７２０ａに対して押し込むことで、収納可能であってもよい。
【００８３】
ヘッドホンスピーカ７２０を用いることで、耳掛けフック２７Ａ、２７Ｂを配設しなくても、耳掛け部１９Ａ、１９Ｂを装着することが可能となる。
【００８４】
以上の構成により、携帯電話１は、通常の携帯電話と同様の形態で通話が可能であり、また、折り畳んで携帯できるが、各部を分離させることでヘッドホンとして使用でき、ポータブル音楽プレイヤーとして楽しむことが可能となる。
【００８５】
また、ヘッドホン状態で使用しているときに電話への着信があっても、そのままの状態で通話へと移行することができる。
【００８６】
次に、本発明の第２実施形態について説明する。図５は、本実施形態における携帯電話３０のヒンジ３１を開いた状態での正面図であり、図６は折り畳んだ状態での側面図である。
【００８７】
図５に示すように、携帯電話３０は、ディスプレイ部３３と、操作部３５が、ヒンジ３１によって折り畳み、かつ着脱可能に接続された構造となっている。
【００８８】
ディスプレイ部３３、操作部３５は、図６に示すように、それぞれ、ディスプレイ部下板３３Ａと上板３３Ｂ、操作部下板３５Ａと上板３５Ｂの２枚の板が重なっている。また、各下板３３Ａ、３５Ａの、折り畳み時に外側にあたる面には、耳掛けフック３７Ａ、３７Ｂとヘッドホンスピーカ４０Ａ、４０Ｂが配設されている。
【００８９】
図５において示されているのは、ディスプレイ部上板３３Ｂ及び操作部上板３５Ｂ面である。ディスプレイ部上板３３Ｂにはディスプレイ４３とスピーカ４２が配設されており、操作部上板３５Ｂにはダイヤルキー４５とマイク４１が配設されている。
【００９０】
更に、携帯電話３０の側面には、メモリーカード挿入部３９が設けられている。
【００９１】
図７に示すように、各上板３３Ｂ、３５Ｂは、それぞれ下板３３Ａ、３５Ａの表面をスライド可能となっており、スライドさせて引き出すことで、マイク４１及びスピーカ４２を、通話に適した位置に配置することができるようになっている。また、操作部下板３５Ａのスライド面に配設された十字キー等４８を使用できるようになっている。
【００９２】
なお、各下板３３Ａ、３５Ａには、スライド用溝４７Ａ、４７Ｂが刻設されており、各上板３３Ｂ、３５Ｂの裏面に設けられた図示しない突部と係合し、スライド自在となっている。
【００９３】
ディスプレイ部３３と操作部３５は、ヒンジ３１において分離可能となっている。この分離の機構を図８から図１１に示す。
【００９４】
図８は、ヒンジ３１の周辺拡大図である。ヒンジ３１は、ディスプレイ部３３と一体のヒンジ３１Ａと、操作部３５と一体のヒンジ３１Ｂが嵌合した状態になっている。図９は、図８におけるヒンジ部３１の部分断面図である。
【００９５】
図９において、ディスプレイ側のヒンジ３１Ａには、両側に穴４９Ａ、４９Ｂがあけられている。穴４９Ａ、４９Ｂは、外部まで貫通した円柱状の穴であり、所定箇所には、その円柱よりも一回り大きい円柱状の空洞５０Ａ、５０Ｂが形成されている。
【００９６】
穴４９Ａ、４９Ｂの内部には、着脱ボタン５１Ａ、５１Ｂが収納されている。着脱ボタン５１Ａ、５１Ｂの所定箇所には円盤５２Ａ、５２Ｂが周設されており、円盤５２Ａ、５２Ｂは、空洞５０Ａ、５０Ｂの内部に収まるようになっている。
【００９７】
操作部３５側のヒンジ３１Ｂには、穴５５Ａ、５５Ｂが設けられている。穴５５Ａ、５５Ｂの内部には、バネ５６Ａ、５６Ｂが配設されており、その一端は穴５５Ａ、５５Ｂの底部に、他端は穴５５Ａ、５５Ｂ内を摺動可能に収納された進退出部材５７Ａ、５７Ｂの内側底面に、それぞれ係止されている。
【００９８】
図９に示すように、ディスプレイ部３３と操作部３５が接続された状態では、進退出部材５７Ａ、５７Ｂの外側上面が着脱ボタン５１Ａ、５１Ｂの内側底面に当接し、外側へと付勢するようになっている。
【００９９】
付勢された着脱ボタン５１Ａ、５１Ｂは、穴４９Ａ、４９Ｂ内部を摺動するが、周設された円盤５２Ａ、５２Ｂが空洞５０Ａ、５０Ｂの壁面に当接することで落脱を防げるようになっている。
【０１００】
図１０は、ディスプレイ部３３と操作部３５を分離したときの状態である。着脱ボタン５１Ａ、５１Ｂを、押し込むことで、バネ５６Ａ、５６Ｂは収縮し、進退出部材５７Ａ、５７Ｂは穴５５Ａ、５５Ｂ内へと収納されるため、そのまま引き出すことができるようになっている。
【０１０１】
また、再び接続する場合には、ヒンジ部穴３２内へとヒンジ３１Ｂを差し込むことで可能である。ヒンジ３１Ａのヒンジ部穴３２と接する面には、穴４９Ａ、４９Ｂとそれぞれ連通し、操作部３５側に向けて開いた、ハの字状の溝５８Ａ、５８Ｂが刻設されている。ヒンジ３１Ｂより突設した進退出部材５７Ａ、５７Ｂは、溝５８Ａ、５８Ｂの斜面に当接しつつ押されることでバネ５６Ａ、５６Ｂが収縮し、穴５５Ａ、５５Ｂ内へと挿入されるようになっている。
【０１０２】
従って、ヒンジ３１Ｂをヒンジ部穴３２へ差し込むと、進退出部材５７Ａ、５７Ｂは、溝５８Ａ、５８Ｂのハの字形状に沿ってガイドされながら進み、穴４９Ａ、４９Ｂへと嵌入するようになっている。
【０１０３】
次に、ヒンジ分離構造の別態様について説明する。ヒンジの取り外し方法については、図１１に示すようなソケット付きヒンジ３４を使用したものでもよい。ソケット付きヒンジ３４は、ディスプレイ部３３の両端より突設した端部３４Ａ、３４Ｂと、端部３４Ａ、３４Ｂに対して回動可能になっており、ソケット雄３６を配設した中央部３４Ｃから構成されている。
【０１０４】
操作部３５にはソケット雌３８が開口しており、ソケット雄３６が嵌脱自在になっている。ソケット雄３６とソケット雌３８が嵌合した状態では、操作部３５に対して、ソケット付きヒンジ３４の中央部３４Ｃは固定された状態となっているが、中央部３４Ｃに対して端部３４Ａ、３４Ｂは回動可能であるため、ディスプレイ部３３を折り畳むことが可能となっている。
【０１０５】
いずれの方法においても、分離したディスプレイ部３３と操作部３５の間は、無線又は有線によって通信が行われるようになっている。有線の場合のコード等は、不使用時にはディスプレイ部３３もしくは操作部３５の内部に図示しないリール等により巻回されており、引き出して使用してもよいし、後述するように、外部に配設し、コードをストラップと兼用できるようにしてもよい（以下、分離型の各実施形態において同様とする）。
【０１０６】
次に、本発明の第２実施形態の作用について説明する。
携帯電話３０は、ディスプレイ部３３及び操作部３５がそれぞれ２枚の板から構成され、重ねて収納されることによって、図６に示すようにコンパクトに携帯することが可能である。
【０１０７】
使用時には携帯電話３０を開き、図７に示すようにディスプレイ部３３及び操作部３５の上板３３Ｂ、３５Ｂをスライド用溝４７Ａ、４７Ｂに沿ってスライドさせることにより、通常の携帯電話と同等のサイズで快適に使用することができる。
【０１０８】
なお、図５に示すように、各上板３３Ｂ、３５Ｂをスライドさせることなく、収納時から開いただけの状態であっても、通話、通信を行うことも可能である。また、ディスプレイ部３３及び操作部３５の構成枚数は２枚に限ったものではなく、更に複数枚を重ねて構成してもよい。
【０１０９】
携帯電話３０は、上述のように通常の折り畳み携帯電話と同様に使用することもできるが、ヒンジ３１から分離し、両耳に装着して使用することもできる。
【０１１０】
次に、ヒンジ３１の分離方法について説明する。
図９において、接続時に突出している着脱ボタン５１Ａ、５１Ｂを穴４９Ａ、４９Ｂ内へと押し入れると、着脱ボタン５１Ａ、５１Ｂはヒンジ３１内において進退出部材５７Ａ、５７Ｂに当接した状態で、この進退出部材５７Ａ、５７Ｂをヒンジ３１Ｂ内に開口した穴５５Ａ、５５Ｂ内へと押入する。
【０１１１】
ディスプレイ部３３と操作部３５は、ヒンジ３１内の進退出部材５７Ａ、５７Ｂが穴４９Ａ、４９Ｂに嵌合していることでのみ接続しているため、進退出部材５７Ａ、５７Ｂが穴４９Ａ、４９Ｂから抜けると、ディスプレイ部３３と操作部３５は独立した状態となる。
【０１１２】
従って、着脱ボタン５１Ａ、５１Ｂを押しながらディスプレイ部３３より操作部３５を引き抜くことで、分離することができる。
【０１１３】
分離したディスプレイ部３３と操作部３５は、耳掛けフック３７Ａ、３７Ｂによって耳に装着して、ヘッドホンとして使用できる。ディスプレイ部３３と操作部３５は、無線による通信としてもよいし、コード等で接続してもよい。
【０１１４】
ディスプレイ部３３と操作部３５の分離状態を感知して、スピーカ機能はスピーカ４２から耳掛けフック３７Ａ、３７Ｂ側面のヘッドホンスピーカ４０Ａ、４０Ｂへと切り替わる。
電話へと着信があった場合には、マイク４１の配設された操作部３５を耳から外し、口元で使用すればよい。
【０１１５】
以上の構成により、携帯電話３０はコンパクトに携帯可能な形状であるが、使用時には各上板３３Ｂ、３５Ｂを引き出すことで使いやすい大きさに変形して使用することが可能である。
【０１１６】
また、ディスプレイ部３３と操作部３５を分離させて耳に装着することで、ヘッドホンとしても使用できる。
【０１１７】
更に、ヘッドホン状態で使用中に電話の着信があっても、片耳の操作部３５を外して口元にあてるだけで、簡単に通話へと移行することができる。
【０１１８】
次に、本発明の第３実施形態について説明する。図１２は、本実施形態における携帯電話６０のヒンジ６２を開いた状態での全体図である。携帯電話６０は
、ケース６３の内部に、ディスプレイ付き耳掛け部６５と、ダイヤルキー付き耳掛け部６６が収納された形態であり、図１３は携帯電話６０を折り畳んだ状態での側面透過図である。
【０１１９】
ディスプレイ付き耳掛け部６５には、ディスプレイ７３の裏面に耳掛けフック７５と、ヘッドホンスピーカ７７が配設されている。同様に、ダイヤルキー付き耳掛け部６６は、ダイヤルキーの配設されたダイヤルキー板８０の裏面に耳掛けフック７６と、ヘッドホンスピーカ７８が配設されている。
【０１２０】
ケース６３は、卵形の形状であり、ディスプレイ付き耳掛け部６５を収納するディスプレイ収納部６７と、ダイヤルキー付き耳掛け部６６を収納するダイヤルキー収納部６９が、ヒンジ６２によって接続され、中央から折曲可能となっている。
【０１２１】
ディスプレイ収納部６７は、曲面状の収納部６７Ａと、開閉自在な２枚の蓋部６７Ｂ、６７Ｃから構成されている。図１２に示すように、蓋部６７Ｂと６７Ｃは、閉じた状態で穴７０を形成するようになっており、ディスプレイ収納部６７に収納されたディスプレイ付き耳掛け部６５のディスプレイ７３が露出するようになっている。
【０１２２】
ダイヤルキー収納部６９も、ディスプレイ収納部６７と同様の構造とし、曲面状の収納部６９Ａと、蓋部６９Ｂ、６９Ｃから構成されており、蓋部６９Ｂと６９Ｃによって穴７１が形成され、内部に収納されたダイヤルキー付き耳掛け部６６のダイヤルキー板８０が操作可能に露出している。
【０１２３】
携帯電話６０は、図１２に示すように、ケース６３に、ディスプレイ付き耳掛け部６５とダイヤルキー付き耳掛け部６６を収納した状態で、通常の携帯電話と同様に通話及び通信が可能となっている。
【０１２４】
従って、ディスプレイ収納部６７の蓋部６７Ｂには通話用スピーカ８１が、また、ダイヤルキー収納部６９の蓋部６９Ｃにはマイク８２が配設されている。更に、蓋部６９Ｂには操作用の十字キー等８４が配設されている。
【０１２５】
次に、本発明の第３実施携帯の作用について説明する。
図１２に示すように、携帯電話６０は、ケース６３内にディスプレイ付き耳掛け部６５と、ダイヤルキー付き耳掛け部６６を収納した状態であっても、穴７０、７１からディスプレイ７３とダイヤルキー板８０を操作及び確認可能であり、通常の携帯電話と同様に通話、通信が行える。
【０１２６】
携帯電話６０をポータブル音楽プレイヤーとして使用するときには、ケース６３からディスプレイ付き耳掛け部６５とダイヤルキー付き耳掛け部６６を取り出し、耳掛けフック７５、７６によって耳に装着する。図１４はこのときの携帯電話６０の断面図であり、取り出し方法を示している。
【０１２７】
図１４に示すように、各蓋部６７Ｂ、６７Ｃ及び６９Ｂ、６９Ｃは、図中破線矢印のように開くため、実線矢印で示すように、ディスプレイ付き耳掛け部６５、ダイヤルキー付き耳掛け部６６を、ケース６３より取り出すことができる。
【０１２８】
ディスプレイ付き耳掛け部６５、ダイヤルキー付き耳掛け部６６がケース６３から外されたことを（図示しないリミットスイッチ等により）感知して、スピーカ機能は通話用スピーカ８１から、ヘッドホンスピーカ７７、７８へと移行する。
【０１２９】
ケース６３と、ディスプレイ付き耳掛け部６５及びダイヤルキー付き耳掛け部６６は、無線通信であってもよいし、コード等を配設した有線であってもよい。
【０１３０】
ディスプレイ付き耳掛け部６５、ダイヤルキー付き耳掛け部６６を外した後のケース６３は、蓋部６９Ｂに配設された十字キー等８４によって、リモコンとして用いることができる。従って、選曲操作や検索、録音、再生操作等が可能である。
【０１３１】
また、各収納部６７Ａ、６９Ａの内部もしくは内部壁面に液晶等の表示装置を配設すれば、穴７０、７１を通して情報や画像の表示も可能である。
【０１３２】
ヘッドホン使用時に電話の着信があった場合には、スピーカはそのままヘッドホンスピーカ７７、７８を用い、ケース６３のマイク８２を口元にあてて会話をすればよい。
【０１３３】
なお、ヘッドホンスピーカ７７、７８は、図８０に示す耳孔挿入用突設部材７１５を配設したヘッドホンスピーカ７２０（但し耳掛け部１９Ａを除く。以下同旨）であってもよい。
【０１３４】
以上により、携帯電話６０は通常の携帯電話と同様に通話、通信が可能であり、ケース６３よりディスプレイ付き耳掛け部６５、ダイヤルキー付き耳掛け部６６を取り出して耳に装着し、ヘッドホンとして使用することでポータブル音楽プレイヤーとして使用することもできる。
【０１３５】
耳掛けフック７５、７６をケース６３内に収納することで、高いデザイン性を得ることができ、更に、鞄等への収納時にも邪魔になることがない。
【０１３６】
また、ディスプレイ付き耳掛け部６５、ダイヤルキー付き耳掛け部６６を外した後のケース６３をリモコンとして使用することで、ヘッドホンを装着しながらの手元での操作も可能であり、電話の着信時にも速やかに会話へと移行できる。  次に、本発明の第４実施形態について説明する。
【０１３７】
図１５は本実施形態における携帯電話１００を、ヒンジ１０１から開いた状態での正面図である。また、図１６は図１５の側面図であり、図１７は中央断面図である。
【０１３８】
携帯電話１００は、図１５に示すように、通常の携帯電話と同様の形態において、通話、通信を行うことも可能であるが、図１７に示すように、本体ケース１０２内にはヘッドホンアーム１０３、１０４が収納されており、本体ケース１０２より引き出すことで携帯電話１００自体をヘッドホンとして使用することも可能になっている。図１８に、ヘッドホン使用時の様子を示す。
【０１３９】
図１５に示すように、携帯電話１００を開いた内部の操作面には、ダイヤルキー１１１が配設されている。図１５及び図１６に示すように、本体ケース１０２には、円形の耳当て部収納穴１０９、１１０と、四角形のリモコン収納穴１１２が開口されており、耳当て部収納穴１０９、１１０には、それぞれ、ディスプレイ付き耳当て部１０５と操作部付き耳当て部１０７が、リモコン収納穴１１２にはリモコン１１３が埋設されている。
【０１４０】
リモコン１１３は本体ケース１０２に対して、着脱自在となっており、リモコン１１３に配設されたリモコンマイク１１８によって、ヘッドホン使用時に着信があった場合にも、装着したままの状態で通話をすることもできるようになっている。リモコン１１３と、本体ケース１０２はコード等による有線であってもよいし、無線による通信であってもよい。
【０１４１】
ディスプレイ付き耳当て部１０５と操作部付き耳当て部１０７は、本体ケース１０２に埋設された状態で、それぞれディスプレイ面１０５ａ、操作面１０７ａが表面へと現れており、折り畳んだ状態で、ディスプレイ面１０５ａのディスプレイ１０６を確認したり、操作面１０７ａの十字キー等１０８を操作することが可能となっている。
【０１４２】
ディスプレイ付き耳当て部１０５は、ディスプレイ面１０５ａと、その側面に沿った半円状の支持材１１６が、ピン１１４Ａ、１１４Ｂによって回動可能に軸支されている。支持材１１６には接続材１１５が突設し、接続材１１５の端部はヘッドホンアーム１０３に対して回動可能な軸１１７と接続されるようになっている。更に、ディスプレイ面１０５ａの裏面には、ヘッドホンスピーカを有する耳当て部１０５ｂが配設されている。
【０１４３】
図１６中の矢印で示すように、ディスプレイ付き耳当て部１０５を耳当て部収納穴１０９から引き出すと、ディスプレイ付き耳当て部１０５は、軸１１７を軸として回動し、本体ケース１０２から取り出すことができるようになっている。
【０１４４】
そのままの状態で本体ケース１０２内よりヘッドホンアーム１０３を引き出せば、ヘッドホンへの変形が行えるようになっている。図１９はヘッドホンアーム１０３を引き出したときの側面部分拡大図である。
【０１４５】
図１９に示すように、ヘッドホンアーム１０３は、２本のアーム本体１２０、１２１と、その先端を架橋する架橋部材１２３による、コの字型の形状となっている。
【０１４６】
アーム本体１２０、１２１は、外筒１２０Ａ、１２１Ａの内部に棒材１２０Ｂ、１２１Ｂが挿入された二重構造となっている。棒材１２０Ｂ、１２１Ｂの一端はそれぞれ架橋部材１２３と接続し架橋されている。
【０１４７】
棒材１２０Ｂ、１２１Ｂの他端には、溝１２０Ｃ、１２１Ｃが刻設されている。外筒１２０Ａ、１２１Ａの端部には突起１２４、１２５が突設しており、溝１２０Ｃ、１２１Ｃと嵌合し、外筒１２０Ａと棒材１２０Ｂを、また外筒１２１Ａと１２１Ｂを、それぞれ係止するようになっている。
【０１４８】
架橋部材１２３は角柱状であり、中央の一部に切り欠き１２７が形成されている。切り欠き１２７の両側面１２７ａ、１２７ｂには、軸１１７が回動可能に軸支されている。
【０１４９】
軸１１７の両端部には、図示しないコイルバネが配設されており、図１９において紙面奥側へと、ディスプレイ付き耳当て部１０５を付勢するようになっている。なお、操作部付き耳当て部１０７も、以上同様の構成とし、説明は省略する。
【０１５０】
携帯電話１００は、ヘッドホン変形時に、携帯電話１００のヒンジ１０１の開閉角度を調節するための、角度調節機能を有している。図２０は、携帯電話１００の背面透過図である。
【０１５１】
携帯電話１００の内部において、ヒンジ１０１を挟んだ一方には、中央に溝１３０が形成されている。溝１３０の内部には、バネ１３２と衝止板１３４が配設されており、バネ１３２の一端は溝１３０の底部へ、また他端は衝止板１３４の底部へと係止されている。なお、バネ１３２は、自然長で衝止板１３４を溝１３０内より突出させるようになっている。
【０１５２】
図１７に示すように、衝止板１３４の先端は複数の微少ブロック１３４ａが、図示しないヒンジによって連結されている。図２３は図２０中のＣ−Ｃ矢視線断面図であり、ヒンジ１０１には、軸１０１ａとカバー１０１ｂの間に、軸１０１ａに沿った曲面状の溝１０１ｃが成形されている。
【０１５３】
衝止板１３４は、微少ブロック１３４ａによって曲線状に可撓できるようになっているため、ヒンジ１０１の溝１０１ｃ内へと、軸１０１ａに沿って出入可能となっている。衝止板１３４は、溝１０１ｃの底部に当接することで、携帯電話使用時の開角度を保持するようになっている。
【０１５４】
携帯電話１００をヘッドホンとして使用する場合には、携帯電話１００を開いたときの、図１８の矢印で示す角度Ｂは、通常の通話時の角度よりも小さく、かつ、使用者によって異なった角度に設定できる必要があるため、ヒンジ１０１には角度Ｂの調節が可能な角度調節機構１３８が配設されている。
【０１５５】
図２１、図２２に、この角度調節機構１３８の拡大図を示す。図２１は、角度調節機構１３８の側面図であり、図２２（ａ）はその正面図、図２２（ｂ）は、図２２（ａ）の透過図である。
【０１５６】
角度調節機構１３８は、先端がヒンジ１０１の軸１０１ａに沿って湾曲した調節板１３９と、調節板１３９上に突設されたガイドネジ１４０と、ガイドネジ１４０がスライド可能な穴１４９が中央に開口したスライド板１４４と、スライド板１４４の位置を決めるための位置調節ネジ１４６から構成されている。
【０１５７】
スライド板１４４の底部にはラック１４１が刻設されている。位置調節ネジ１４６はピニオン１４７を有しており、ラック１４１と歯合されている。そして、位置調節ネジ１４６を回動させることでスライド板１４４を軸１０１ａに対し平行方向に移動させることができるようになっている。
【０１５８】
スライド板１４４の位置によってガイドネジ１４０の摺動範囲が決まるため、調節板１３９のスライド範囲が決定される。調節板１３９の湾曲した先端部は、携帯電話１００の中心方向に向かって短くなるように、斜めに切られている。このように、先端部の傾斜面は直線状であってもよいが、複数の段差を有するように構成されてもよい。
【０１５９】
複数の段差を有する場合には、各段部頭部において掛止されるため、装着した後の微少な調節も可能となる。そのために、ヒンジ１０１のカバー１０１ｂの一部に穴を開口し、そこから調節板１３９の一部を突出させ、調節板１３９を、この穴から手動によって移動できるようにしてもよい。このときの背面図を図７８に、側面部分断面図を図７９に示す。
【０１６０】
カバー１０１には、図７８中横方向に穴１０１ｄが開口している。図７９に示すように、調節板１３９には、操作部１３９ａが突設されており、操作部１３９ａは、穴１０１ｄからヒンジ１０１のカバー１０１ｂの外へと露出している。
【０１６１】
従って、操作部１３９ａは、穴１０１ｄの内部を、図７８中横方向へと摺動可能となっており、調節板１３９の位置を、手動で調節可能である。
【０１６２】
なお、調節板１３９も、衝止板１３４と同様に、ヒンジ１０１の、軸１０１ａとカバー１０１ｂによって形成された溝１０１ｃ内に収納されている。但し、調節板１３９を、本体ケース１０２内のみに配設する一方で、衝止板１３４を更に長めにとり、衝止板１３４の先端部が調節板１３９の属する本体ケース１０２内に届くようにされてもよい。
【０１６３】
角度Ｂは、衝止板１３４が溝１０１ｃ内において、調節板１３９の先端に当接することで保持されるようになっている。従って、位置調節ネジ１４６により調節板１３９の位置を軸１０１ａと平行方向にスライドさせることにより、衝止板１３４との当接角度を調整することができ、角度Ｂを任意に決定することが可能となっている。
【０１６４】
調節板１３９にはバネ１４８が配設されており、携帯電話１００の中心方向に向かって付勢されている。
一方、調節板１３９の右下端部には位置ガイド当接板１４２が当接されている。この位置ガイド当接板１４２の下端は、ヘッドホンアーム１０４の上辺に当接されることで押し上げられるようになっている。位置ガイド当接板１４２の先端は、調節板１３９を外方に向けて押し出すように外側に向かって斜めに切られている。
【０１６５】
角度調節機構１３８が働き、調節板１３９が衝止板１３４に当接する状態では、図１８中の角度Ｂの大きさは小さすぎるため通常の携帯電話としての使用が困難である。そのため、位置ガイド当接板１４２は、ヘッドホンから携帯電話の形態へと戻すときに、角度調節機構１３８を解除するようになっている。
【０１６６】
位置ガイド当接板１４２には、衝止部材１４３が、位置ガイド当接板１４２と一体に周設されている。位置ガイド当接板１４２の図中下方端部には、衝止部材１４３と同型であり、中央に穴１４５ａを有する位置ガイド当接板支持材１４５が配設されている。
【０１６７】
位置ガイド当接板１４２は、位置ガイド当接板支持材１４５の穴１４５ａの内部を摺動可能となっている。位置ガイド当接板１４２の摺動は、角度調節機構１３８の調節板１３９と、ヘッドホンアーム１０４によって行われるようになっている。
【０１６８】
そして、ヘッドホンアーム１０４が本体ケース１０２内に収納されている状態では、ヘッドホンアーム１０４の上端が位置ガイド当接板１４２の下端に当接し、位置ガイド当接板１４２を上方に押し上げた状態で保持するようになっている。
【０１６９】
このとき、位置ガイド当接板１４２は、調節板１３９を本体ケース１０２の外側へと押しやりながら穴１４５ａ内を上方へと移動するようになっている。
【０１７０】
一方、ヘッドホンアーム１０４が本体ケース１０２より引き出され、携帯電話１００がヘッドホンとして使用されているときには、位置ガイド当接板１４２は保持を失うため、位置ガイド当接板１４２の上端に当接した調節板１３９の押圧によって、図２０中の下方向へと押し下げられるようになっている。
【０１７１】
押し下げられた位置ガイド当接板１４２は、衝止部材１４３が位置ガイド当接板支持材１４５へと当接するため、ここで支持されるようになっている。
【０１７２】
また、図２４には、操作部付き耳当て部１０７周辺の透過図を示す。図２４において、リモコン１１３に配設されたリモコンマイク１１８の代わりに、操作部付き耳当て部１０７にケーブル式マイク１５０を配設してもよい。ケーブル式マイク１５０は、ケーブル１５０ａの先端部にマイクを有しており、ケーブル１５０ａは操作部付き耳当て部１０７の内部に、図示しないリール等により巻回されている。
【０１７３】
従って、ヘッドホン使用時に携帯電話１００に着信があった場合にも、携帯電話１００を頭部に装着した状態で、ケーブル式マイク１５０を引き出し、通話することが可能となっている。なお、この携帯電話１００のポータブル音楽プレイヤーとしての機能から、携帯電話機能への移行は、ケーブル式マイク１５０が、操作部付き耳当て部１０７から引き出されたことを図示しないリミットスイッチ等により感知して行われるようになっている。
【０１７４】
図２５に、ケーブル式マイク１５０を引き出したときの様子を示す。ケーブル式マイク１５０の、ケーブル１５０ａは可撓性を有しており、使用者の好みの位置へと曲げることが可能となっている。
【０１７５】
なお、ケーブル式マイク１５０の代わりに、図２６及び図２７に示すような伸縮式マイク１５５を用いてもよい。図２６はこの伸縮式マイク１５５が、操作部付き耳当て部１０７に収納されているときの部分拡大透過図である。
【０１７６】
伸縮式マイク１５５は、径の異なる複数本のロッド１５５ａ、１５５ｂ、１５５ｃ、１５５ｄからなる入れ子式構造となっており、収納時には重ねられて、操作部付き耳当て部１０７の内部に納められている。
【０１７７】
操作部付き耳当て部１０７の内部には、携帯電話１００のポータブル音楽プレイヤーとしての機能と携帯電話機能を切り替えるためのリミットスイッチ１５７が配設されている。リミットスイッチ１５７は耳当て側の固定部１５７Ａと、伸縮式マイク１５５側の可動部１５７Ｂから構成されている。
【０１７８】
図２７は伸縮式マイク１５５を引き出したときの様子である。伸縮式マイク１５５の引き出しに伴い、可動部１５７Ｂが固定部１５７Ａに接触することがスイッチとなり、ポータブル音楽プレイヤー機能から電話機能へと切り替わるようになっている。
【０１７９】
伸縮式マイク１５５は一方向へのみ引き出せるようになっているため、各使用者に合わせた位置で使用できるように、操作部付き耳当て部１０７を図２７中矢印のように回転させることができるようになっている。
【０１８０】
図２８は、図２６中のＤ−Ｄ矢視線断面図である。図２８において、操作部付き耳当て部１０７の操作面１０７ａと耳当て部１０７ｂは回転軸１５９によって、回動可能に軸支されている。なお、伸縮式マイク１５５は、操作面１０７ａ側へ収納されている。
【０１８１】
従って、耳に装着した状態であって、耳当て部１０７ｂが固定されていても、操作面１０７ａは自由に回動可能であり、伸縮式マイク１５５を口元の適当な位置へ設置することができるようになっている。
【０１８２】
次に、本発明の第４実施形態の作用について説明する。
携帯電話１００は、図２９に示すように、折り畳んで携帯することができる。携帯電話として使用する場合にはヒンジ１０１より開けばよい。
【０１８３】
また、図１６に示すように、携帯電話状態において、ディスプレイ付き耳当て部１０５及び操作部付き耳当て部１０７は、ディスプレイ面１０５ａ及び操作面１０７ａが露出しているため、ディスプレイ１０６と、十字キー等１０８は携帯電話使用時にも使用でき、本体ケース１０２に配設された、ダイヤルキー１１１とともに、ダイヤルや文書の作成など、各種操作が行える。
【０１８４】
携帯電話状態における通話は、操作部付き耳当て部１０７に配設された、ケーブル式マイク１５０と、ディスプレイ付き耳当て部１０５に配設された通話用スピーカ１３５によって行われる。
【０１８５】
ヘッドホン変形時には、ディスプレイ付き耳当て部１０５及び操作部付き耳当て部１０７をつまみ、耳当て部収納穴１０９、１１０から引き上げる。その状態でヘッドホンアーム１０３、１０４を引き出せばよい。
【０１８６】
ヘッドホンアーム１０３、１０４は、図１９に示すように二重構造であるため、収納時の状態よりも長いアームを収納しておくことができる。また、引き出したアームは、アーム本体１２０、１２１の、溝１２０Ｃ、１２１Ｃと突起１２４、１２５が嵌合することで任意の位置で係止できるため、使用者にあった長さで使用することができる。
【０１８７】
引き出したヘッドホンアーム１０３、１０４は、使用者の頭部及び耳に密着するように、ヒンジ１０１部の衝止板１３４、バネ１３２によってアーム全体が、また、架橋部材１２３の内部に配設された図示しないコイルバネによって、ディスプレイ付き耳当て部１０５及び操作部付き耳当て部１０７が、それぞれ図１８中内側方向に付勢されている。
【０１８８】
ヘッドホンとして使用する場合の、図１８中における使用角度Ｂは、角度調節機構１３８によって調節できる。携帯電話使用時には、図２０に示すように、角度調節機構１３８の調節板１３９は、本体ケース１０２の背面側部に位置し、衝止板１３４とは接触しない状態であるため、衝止板１３４はヒンジ１０１の溝１０１ｃの底部まで挿入されて当接する。
【０１８９】
これに対し、ヘッドホン使用時には衝止板１３４を調節板１３９に当接させるため、調節板１３９を携帯電話１００の中心方向へと移動させる。このときの様子を図３０に示す。
【０１９０】
ヘッドホンアーム１０３、１０４を本体ケース１０２より引き出すと、位置ガイド当接板１４２は下方からの支持を失い、位置ガイド当接板１４２の衝止部材１４３が、位置ガイド当接板支持材１４５に衝止するまで下垂する。
【０１９１】
図２０の状態においては、位置ガイド当接板１４２がヘッドホンアーム１０４によって上方へと押し上げられて保持されているため、調節板１３９は位置ガイド当接板１４２に当接し、スライドすることができないが、図３０に示すように、位置ガイド当接板１４２が下方へ移動することで調節板１３９は左右にスライド可能となる。
【０１９２】
なお、調節板１３９は、バネ１４８による中心方向への付勢と、それに対する位置ガイド当接板１４２による制止のために、一定位置で停止される。
【０１９３】
本体ケース１０２のケース外へ表出している位置調節ネジ１４６の、ネジ部に形成されたピニオン１４７は、スライド板１４４の底部に形成されたラック１４１と歯合するため、位置調節ネジ１４６を回動させることで、スライド板１４４の位置を移動させることができる。
【０１９４】
調節板１３９は、携帯電話１００に対して左右方向にスライドするが、このときのスライド範囲はスライド板１４４に開口した穴１４９の範囲内である。従って、位置調節ネジ１４６によって、スライド板１４４のスライド範囲を調節することができる。
【０１９５】
調節板１３９のスライド範囲は、衝止板１３４との当接位置を決定する。調節板１３９が中心に近づくほど、衝止板１３４と当接するまでの距離が短くなり、角度Ｂは小さくなる。
【０１９６】
ヘッドホン使用後にヘッドホンアーム１０３、１０４を本体ケース１０２の内部へ収納すると、ヘッドホンアーム１０４の上端が位置ガイド当接板１４２の底部に当接し、位置ガイド当接板１４２を上方へと押し上げる。
【０１９７】
押し上げられた位置ガイド当接板１４２は調節板１３９を、携帯電話１００に対して外側へと押しやるため、角度調節機構１３８は携帯電話状態へと自動で戻り、図１６に示すような携帯電話使用角度まで開くことができるようになる。
【０１９８】
また、図３１に示すように、ヘッドホン使用時には、本体ケース１０２よりリモコン１１３を取り出して使用することができ、曲選択や、携帯電話機能の操作を行うことができる。リモコン１１３に配設されたリモコンマイク１１８によって、ヘッドホン使用時に着信があった場合にも、装着したままの状態で通話をすることもできる。更に、このリモコン１１３を本体ケース１０２より取り外さない状態でも、操作部付き耳当て部１０７内にケーブル式マイク１５０もしくは伸縮式マイク１５５を配設することで、ヘッドホン使用時から携帯電話による通話への移行が素早く行え、また、フリーハンドでの通話が可能となる。
【０１９９】
なお、耳当て部１０５ｂ、１０７ｂの代わりに、図８０に示すような、耳孔挿入用突設部材７１５を配設した、ヘッドホンスピーカ７２０を用いてもよい。
【０２００】
また、図８１に示すような、耳孔内に完全に挿入される、耳孔挿入型スピーカ７３０を、ヘッドホンアーム１０３、１０４の先端に配設してもよい（以下同旨）。大きなヘッドホンスピーカを用いることなく、小型、軽量であり、収納及び携帯に便利である。この場合には、ディスプレイ１０６、十字キー等１０８は、携帯電話１００のケースへと配設される（以下同旨）。
【０２０１】
以上により、携帯電話１００は、通常の携帯電話と同様の形態で使用することができるが、ヘッドホンへと変形してポータブル音楽プレイヤーとして使用することもできる。携帯電話１００は、ヘッドホン用のヘッドホンアーム１０３、１０４を本体ケース１０２の内部に収納できるため、持ち運びに便利である。また、耳に密着して装着可能なので、高音質であり、装着感にも優れている。
【０２０２】
次に、本発明の第５実施形態について説明する。
図３２は本実施形態における携帯電話１６０をヒンジ１６２から開いた状態の正面図であり、図３３はその側面透過図である。
【０２０３】
携帯電話１６０は、第４実施形態において、ヘッドホン使用時にバネの力で耳に当てていたヘッドホンスピーカ部を、耳掛けフック１６５、１６６によって耳に装着できるようにしたものである。
【０２０４】
耳掛けフック１６５、１６６は、ディスプレイ付き耳掛け部１６８と、操作部付き耳掛け部１６９にそれぞれ配設された、ヘッドホンスピーカ１７１、１７２の側部に配設されている。
【０２０５】
ディスプレイ付き耳掛け部１６８には、ディスプレイ１７３が、操作部付き耳掛け部１６９には十字キー等１７９が配設されており、携帯電話として、また、ポータブル音楽プレイヤーとしての各種操作を行えるようになっている。
【０２０６】
本体ケース１７４には、耳掛け部収納穴１７５、１７６が開口しており、それぞれ、ディスプレイ付き耳掛け部１６８と、操作部付き耳掛け部１６９を収納可能となっている。
【０２０７】
ヘッドホン使用時には、ディスプレイ付き耳掛け部１６８、操作部付き耳掛け部１６９を、耳掛け部収納穴１７５、１７６より引き上げ、そのままの状態で本体ケース１７４よりヘッドホンアーム１７７、１７８を引き出すようになっている。
【０２０８】
ディスプレイ付き耳掛け部１６８、操作部付き耳掛け部１６９は、ヘッドホンアーム１７７、１７８と、接続材１８１、１８２によって回動可能に接続されている。
【０２０９】
耳掛けフック１６５、１６６は、使用者によってヘッドホンアーム１７７、１７８に対する使用角度が異なっているため、各ヘッドホンスピーカ本体に対して回動可能となっている。
【０２１０】
図３４に、ディスプレイ付き耳掛け部１６８の部分拡大図を、図３５に分解構成図を示す。図３４（ａ）は正面図であり、（ｂ）は側面図である。ディスプレイ付き耳掛け部１６８は、スピーカ部１６８Ａと耳掛け部１６８Ｂが、ベアリング１８５を介して連結されている。
【０２１１】
耳掛け部１６８Ｂは、耳掛けフック１６５とベアリング１８５から構成されている。ベアリング１８５は、その外輪１８５ａが耳掛けフック１６５に固定されている。
【０２１２】
スピーカ部１６８Ａは、ディスプレイ面１６７の裏面に、円周状の溝１８３が刻設されている。この溝１８３に、ベアリング１８５が嵌入されている。溝１８３に嵌入したベアリング１８５は、内輪１８５ｂが溝１８３と連結され、スピーカ部１６８Ａに対して耳掛け部１６８Ｂが回動可能となっている。
【０２１３】
図３６は、ヘッドホンアーム１７７を引き出したときのディスプレイ付き耳掛け部１６８の部分拡大図である。ディスプレイ付き耳掛け部１６８は、ヘッドホンアーム１７７との接続材１８１に対して、装着時に図３６中の矢印方向へと引き出すように構成されており、耳掛けフック１６５と接続材１８１の間に耳が引っ掛からない程度の空間が確保されるようになっている。
【０２１４】
なお、操作部付き耳掛け部１６９はディスプレイ付き耳掛け部１６８と同様の構成とし、説明は省略する。
【０２１５】
次に、本発明の第５実施形態の作用について説明する。
なお、本実施形態において、本体ケース１７４の背面に配設された、角度調節機構１３８及びマイクの使用方法については第４実施形態と同様とし、説明は省略する。携帯電話１６０は、通常の携帯電話としての使用の他、ヘッドホンとして使用することもできる。ヘッドホンへの変形時には、本体ケース１７４より、ディスプレイ付き耳掛け部１６８、操作部付き耳掛け部１６９をつまみ、耳掛け部収納穴１７５、１７６より引き上げ、そのままヘッドホンアーム１７７、１７８を本体ケース１７４より引き出せばよい。
【０２１６】
引き出したディスプレイ付き耳掛け部１６８、操作部付き耳掛け部１６９を図３６中の矢印方向へと接続材１８１、１８２より引き出すことで、耳掛けフック１６５、１６６と接続材１８１、１８２との間に耳を挿入する空間を形成できる。
【０２１７】
使用者は、ディスプレイ付き耳掛け部１６８、操作部付き耳掛け部１６９の耳掛けフック１６５、１６６を耳に掛け、適当な状態までスピーカ部１６８Ａ、１６９Ａを回転させて装着する。
【０２１８】
なお、スピーカ部１６８Ａ、１６９Ａの代わりに、図８０に示すような、耳孔挿入用突設部材７１５を配設した、ヘッドホンスピーカ７２０を用いてもよい。このとき、耳掛けフック１６５、１６６を配設する必要がなくなる。
【０２１９】
また、図８１に示すような、耳孔内に完全に挿入される、耳孔挿入型スピーカ７３０をいてもよい。大きなヘッドホンスピーカを用いることなく、小型、軽量であり、収納及び携帯に便利である。
【０２２０】
以上により、携帯電話１６０は、通常の携帯電話としても、また、ヘッドホンへと変形してポータブル音楽プレイヤーとしても使用できる。耳掛けフック１６５、１６６によって装着することで、使用者の頭部及び耳部への圧迫感がなく、更にアーム部を簡単な構成で作製することが可能となる。
【０２２１】
次に、本発明の第６実施形態について説明する。
図３７は、本実施形態における携帯電話１９０をヒンジ１９１から開いたときの正面図であり、図３８は側面透過図である。携帯電話１９０は、第４実施形態の携帯電話１００において、ヘッドホンアーム１９５、１９６が、本体ケース１９８の表面上に配設された、複層式の構造である。
【０２２２】
携帯電話１９０は、本体ケース１９８の上面に、摺動カバー２０１、２０２が摺動可能に配設されている。摺動カバー２０２には、ディスプレイ付き耳当て部２１１が収納されており、摺動カバー２０２に開口したディスプレイ表示穴２２５よりディスプレイ２１５が表出している。
【０２２３】
同様に、摺動カバー２０１には操作部付き耳当て部２１３が収納されており、摺動カバー２０１に開口した操作部操作穴２２７より、操作部付き耳当て部２１３の表面に配設された十字キー等２１９を操作できるようになっている。
【０２２４】
ディスプレイ付き耳当て部２１１、操作部付き耳当て部２１３は摺動カバー２０１、２０２に対して、回動可能に配設されており、図示しないコイルバネによって、使用者の耳に押圧されるようになっている。
【０２２５】
本実施形態においては、ディスプレイ付き耳当て部２１１、操作部付き耳当て部２１３は、完全に摺動カバー２０１、２０２内に収納されているため、摺動カバー２０１、２０２から取り出すときのために、引き出し板２２９、２３１が配設されている。
【０２２６】
引き出し板２２９、２３１は、ディスプレイ付き耳当て部２１１、操作部付き耳当て部２１３の側部から、摺動カバー２０１、２０２の側面まで突出するようになっており、両側部からつまむことでディスプレイ付き耳当て部２１１、操作部付き耳当て部２１３を容易に引き出すことができるようになっている。
【０２２７】
図３９は、摺動カバー２０１を摺動させたときの摺動カバー２０１周辺の部分正面図である。ヘッドホンアーム１９６は、２本のアーム本体１９６Ａ、１９６Ｂの上端と下端を、それぞれ架橋部材２０８、２０９によって架橋されており、本体ケース１９８の上面を摺動可能となっている。
【０２２８】
図３８に示すように、摺動カバー２０１には、収納した状態で架橋部材２０８の図中下部に、下方に開いた半筒状の掛合部材２０５が配設されている。更に、架橋部材２０９の図中下方には、上方に開いた半筒状の掛合部材２０６が配設されている。
【０２２９】
図４０は、摺動カバー２０１と、ヘッドホンアーム１９６の移動の様子である。摺動カバー２０１のみを引き出した状態を図４０（ａ）に、更にヘッドホンアーム１９６を本体ケース１９８から引き出した状態を図４０（ｂ）に、また、更に操作部付き耳当て部２１３を引き出したときの状態を図４０（ｃ）に示す。
【０２３０】
図３８及び図４０（ａ）に示すように、摺動カバー２０１を摺動させると、掛合部材２０５は、架橋部材２０９と掛合し、本体ケース１９８内からヘッドホンアーム１９６を引き出すようになっている。
【０２３１】
なお、図４０（ｃ）の状態から、ヘッドホンアーム１９６を収納する場合には、掛合部材２０６が架橋部材２０９と掛合し、押し上げるようにもなっている。
【０２３２】
本実施形態において、背面の角度調節機構１３８は第４実施形態と同様であり説明は省略する。なお、ヘッドホンアーム１９６の位置が、位置ガイド当接板１４２と一致しない場合にも、図３８に示すように、ヘッドホンアーム１９６の背面から、突設板２２８を突設させることにより、位置調整を行うことができるようになっている。
【０２３３】
更に、この突設板２２８は、図４０に示すように、本体ケース１９８の内部に突設されたアームストッパー２３２に当接することで、ヘッドホンアーム１９６が本体ケース１９８より脱落するのを防止している。
【０２３４】
次に、本発明の第６実施形態の作用について説明する。
携帯電話１９０は、図４１のように折り畳んで携帯することができる。携帯電話１９０を、通常の携帯電話として使用するときには、折り畳んだ状態で、摺動カバー２０１、２０２から表出している、ディスプレイ付き耳当て部２１１に配設されたディスプレイ２１５、通話用スピーカ２１７と、操作部付き耳当て部２１３に配設された、十字キー等２１９、通話用マイク２２１を用いる。
【０２３５】
ヘッドホンとして使用する場合には、摺動カバー２０１、２０２を引き出せばよい。摺動カバー２０１、２０２に配設された掛合部材２０５、２２３がヘッドホンアーム１９５、１９６と掛合し、摺動カバー２０１、２０２に連動するようにして、本体ケース１９８よりヘッドホンアーム１９５、１９６を引き出すことができる。
【０２３６】
ヘッドホンアーム１９５、１９６を引き出した後に、摺動カバー２０１、２０２の側部に突出した引き出し板２２９、２３１を押し上げて、ディスプレイ付き耳当て部２１１、操作部付き耳当て部２１３を摺動カバー２０１、２０２内より引き出す。
【０２３７】
引き出したヘッドホンアーム１９５、１９６は、第４実施形態と同様に、背面の角度調節機構１３８によって、使用者の頭部に押圧される。
【０２３８】
また、ディスプレイ付き耳当て部２１１、操作部付き耳当て部２１３は、摺動カバー２０１、２０２より図示しないコイルバネによって耳部へ押圧される。
【０２３９】
なお、ディスプレイ付き耳当て部２１１、操作部付き耳掛け部２１３のヘッドホンスピーカの代わりに、図８０に示すような、耳孔挿入用突設部材７１５を配設した、ヘッドホンスピーカ７２０を用いてもよい。
【０２４０】
また、図８１に示すような、耳孔内に完全に挿入される、耳孔挿入型スピーカ７３０をいてもよい。
【０２４１】
以上により、携帯電話１９０は携帯電話及び、ヘッドホン状態でポータブル音楽プレイヤーとして使用することができる。摺動カバー２０１、２０２によってディスプレイ付き耳当て部２１１、操作部付き耳当て部２１３を完全に収納してしまうことで、各部の保護となり、またデザイン性にも優れている。
【０２４２】
更に、図４０に示すように、摺動カバー２０１、２０２を引き出すだけで、連動してヘッドホンアーム１９５、１９６を引き出せるため、形態の変更も簡単に行うことができる。摺動カバー２０１、２０２の収納も、摺動カバー２０１、２０２を本体ケース１９８に戻すだけでよいので簡単である。
【０２４３】
次に、本発明の第７実施形態について説明する。
図４２は、本実施形態における携帯電話２５０の、折り畳み時の側面透過図である。携帯電話２５０は、ヒンジ２５１によって接続された基部２５３Ａ、２５３Ｂと、各基部２５３Ａ、２５３Ｂとヒンジ２５５Ａ、２５５Ｂによって接続されたアーム収納部２５７Ａ、２５７Ｂと、各アーム収納部２５７Ａ、２５７Ｂの内部に、回動可能に収納されたアーム２５９Ａ、２５９Ｂから構成されている。
【０２４４】
更に、アーム２５９Ａ、２５９Ｂの先端には、ヘッドホンスピーカ２７５Ａ、２７５Ｂを有する耳当て部２７３Ａ、２７３Ｂが配設されている。
【０２４５】
携帯電話２５０は、ヒンジ２５１から開閉することで通常の携帯電話として使用可能であり、このときの様子を図４３に側面透過図で示す。このとき、アーム収納部２５７Ａに配設されたディスプレイ面２６１と、アーム収納部２５７Ｂに配設された操作面２６２が表出している。図４４はこのときの正面図である。但し、図４４には破断線によりアーム収納部２５７Ａの裏側が一部覗けるように表示している。
【０２４６】
ディスプレイ面２６１にはディスプレイ２６３と通話用スピーカ２６７が、操作面２６２には十字キー等２６４、ダイヤルキー２６５と通話用マイク２６９がそれぞれ配設されており、携帯電話の各種操作及び通話が行えるようになっている。
【０２４７】
携帯電話２５０をヘッドホンとして使用する場合には、図４３の状態から更にヒンジ２５５Ａ、２５５Ｂからアーム収納部２５７Ａ、２５７Ｂを開き、その内部に収納されたアーム２５９Ａ、２５９Ｂを伸ばすようになっている。このときの様子を図４５に示す。
【０２４８】
アーム２５９Ａ、２５９Ｂは、アーム収納部２５７Ａ、２５７Ｂに対して、ネジ２７１Ａ、２７１Ｂによって回動可能に軸支されているため、図４５中の矢印で示すように取り出すことができるようになっている。
【０２４９】
中央のヒンジ２５１は、第４実施形態と同様の角度調節機構１３８が配設されており、同符号を付して説明は省略する。また、ヒンジ２５５Ａ、２５５Ｂにおいても、アーム収納部２５７Ａ、２５７Ｂを使用者の頭部に押圧するためのバネ機構２８０が配設されている。
【０２５０】
図４６に、バネ機構２８０の部分拡大図を示す。バネ機構２８０は、角度調節機構１３８と同様に、衝止板２８２とバネ２８４が、基部２５３Ａ、２５３Ｂの背面に開口した溝２８６の内部に配設されており、アーム収納部２５７Ａ、２５７Ｂに配設された調節板２８８と当接するようになっている。
【０２５１】
バネ機構２８０において、調節板２８８は、図中左右方向へと摺動可能であり、角度調節機構１３８と同様に、使用者に合った任意の移動幅を決めておけるようになっている。
【０２５２】
基部２５３Ａ、２５３Ｂと、アーム収納部２５７Ａ、２５７Ｂは、通常の装着角度よりも小さな角度で開くようになっている。従って、使用者は、バネ機構２８０を用いて、外側に押し開いて装着することで、装着後は使用者の頭部にアーム収納部２５７Ａ、２５７Ｂが押圧し、密着するようになっている。
【０２５３】
また、各アーム収納部２５７Ａ、２５７Ｂと、アーム２５９Ａ、２５９Ｂの間も、図示しないコイルバネによって付勢されており、アーム２５９Ａ、２５９Ｂは、使用者の頭部に対し押圧されている。
【０２５４】
携帯電話２５０において、図４３の状態で表出している面２６１、２６２には、それぞれディスプレイ２６３、十字キー等２６４、ダイヤルキー２６５が配設されており、携帯電話としての各種操作を行えるようになっている。
【０２５５】
次に、本発明の第７実施形態の作用について説明する。
携帯電話２５０は、アーム２５９Ａ、２５９Ｂがアーム収納部２５７Ａ、２５７Ｂの裏面内部に配設されているため、ヘッドホンとして使用しない場合には完全に収納された状態であり、通常の携帯電話と同様の形態でディスプレイ２６３や十字キー等２６４、ダイヤルキー２６５を使用できる。
【０２５６】
ヘッドホンとして使用するためには、初めに角度調節機構１３８によってヒンジ２５１の角度を設定して開き、その後バネ機構２８０が働かずに止まる位置までアーム収納部２５７Ａ、２５７Ｂを開く。
【０２５７】
アーム収納部２５７Ａ、２５７Ｂを開くと、アーム２５９Ａ、２５９Ｂが表出するため、引き出せばよい。アーム２５９Ａ、２５９Ｂは、図示しないコイルバネによってアーム収納部２５７Ａ、２５７Ｂ側へと付勢されているため、引き出したままの状態で頭部へと装着する。
【０２５８】
但し、そのままでは、基部２５３Ａ、２５３Ｂと、アーム収納部２５７Ａ、２５７Ｂとの角度は使用状態より狭いため、更に外側へアーム収納部２５７Ａ、２５７Ｂを開く必要がある。
【０２５９】
従って、その状態より外側へ力を加えることによって、バネ機構２８０が作動し、角度を広げることができるようになるため、頭部への装着が可能となる。
【０２６０】
なお、ヘッドホンスピーカ２７５Ａ、２７５Ｂの代わりに、図８０に示すような、耳孔挿入用突設部材７１５を配設した、ヘッドホンスピーカ７２０を用いてもよい。また、図８１に示すような、耳孔内に完全に挿入される、耳孔挿入型スピーカ７３０をいてもよい。
【０２６１】
以上により、ヘッドホン使用時の各部品が内部に完全に収納することができ、ポータブル音楽プレイヤーとしても使用することができる携帯電話を提供することができる。
【０２６２】
また、ヘッドホンとして使用する場合には、角度調節機構１３８とバネ機構２８０によって、各使用者の頭部に合わせて密着させることができる。
【０２６３】
なお、基部２５３Ａ、２５３Ｂやアーム収納部２５７Ａ、２５７Ｂ等は頭部の形状に沿うように曲線状とされてもよい。
【０２６４】
次に、本発明の第８実施形態について説明する。
図４７は本実施形態における携帯電話３００の背面からの全体透過図である。
【０２６５】
携帯電話３００は、２本のアーム３０２、３０３と、各アームを繋ぐ回動機構３０５と、アーム３０２に対して回動可能に配設されたディスプレイ付き耳当て部３０６と、ディスプレイ付き耳当て部３０６の背面に収納され、アーム３０３に対して回動可能に配設された耳当て部３０７から構成されている。
【０２６６】
携帯時及び携帯電話使用時には、アーム３０２、３０３は、横方向に併設されており、一体として携帯電話３００のケースとなっている。
【０２６７】
従来の携帯電話と同様に、中央横方向にはヒンジ３０１及びヒンジ３０４が軸通し、回動可能となっており、ここから折り畳んで携帯することができるようになっている。
【０２６８】
ディスプレイ付き耳当て部３０６、耳当て部３０７は、図４７に示されている反対側面であり、携帯電話３００のおもて面へと折り畳まれている。折り畳まれた状態で、ディスプレイ付き耳当て部３０６に配設されたディスプレイが表出するようになっており、携帯電話３００は、各種情報の表示にこのディスプレイを用いるようになっている。
【０２６９】
なお、図示しないが、アーム３０２、３０３の、ヒンジ３０１を挟んだ回動機構３０５側には、ダイヤルキー及び十字キー等が配設されており、各種入力操作を行えるようになっている。
【０２７０】
アーム３０２、３０３の一端に配設された回動機構３０５は、アーム３０２に接合されたねじりコイルバネ３０９と、アーム３０３の端部に内設された、球体３１１と、球体３１１とねじりコイルバネ３０９とを接続するＬ字状の接合材３１３から構成されている。
【０２７１】
ヘッドホン使用時には、併設されているアーム３０２、３０３を、回動機構３０５によって伸ばして使用するようになっている。ディスプレイ付き耳当て部３０６と、耳当て部３０７を、アーム３０２、３０３の端部を軸に回動させて引き出すと、アーム３０３を回動させることができるようになっている。
【０２７２】
接合材３１３は、ねじりコイルバネ３０９と接合した長辺３１３ａを軸として回動可能となっており、これに伴いアーム３０３が回動機構３０５に対して、回動するようになっている。
【０２７３】
アーム３０３が、回動機構３０５を中心としてアーム３０２に対して１８０度回転すると、アーム３０２と同一平面上ではあるが、逆面が表出してしまうため（例えば、調節板２８８は互いに反対向きに位置されてしまう）、接合材３１３の、球体３１１に接合した短片３１３ｂを軸として１８０度回動させ、表出面を一致させられるようになっている。
【０２７４】
この状態において、ディスプレイ付き耳当て部３０６のヘッドホンスピーカ面及び耳当て部３０７のヘッドホンスピーカ面は、どちらも図４７において、頭部への装着面である、紙面裏側へとなっている。
【０２７５】
アーム３０２、３０３の背面には、第７実施形態と同様に、バネ機構２８０がそれぞれ配設されており、使用者の頭部へと、アーム３０２、３０３を押圧するようになっている。
【０２７６】
また、ディスプレイ付き耳当て部３０６、耳当て部３０７も、コイルバネ３１５、３１６によって使用者の耳部へと押圧するようになっている。但し、ディスプレイ付き耳当て部３０６、耳当て部３０７が余り広がりすぎないように、コイルバネ３１５、３１６回りにストッパが配設されることが望ましい。
【０２７７】
なお、ディスプレイ付き耳当て部３０６、耳当て部３０７の代わりに、図８０に示すような、耳孔挿入用突設部材７１５を配設した、ヘッドホンスピーカ７２０を用いてもよい。また、図８１に示すような、耳孔内に完全に挿入される、耳孔挿入型スピーカ７３０をいてもよい。
【０２７８】
このとき、ディスプレイ付き耳当て部３０６のディスプレイは、携帯電話３００のケースへと配設されるものとする。
【０２７９】
次に、本発明の第８実施形態の作用について説明する。
携帯電話３００は、携帯時には、ヒンジ３０１から折り畳み、コンパクトに収納可能である。
【０２８０】
ヒンジ３０１から開き、携帯電話として使用するときには、折り畳まれたディスプレイ付き耳当て部３０６のディスプレイを使用する。このとき耳当て部３０７は、ディスプレイ付き耳当て部３０６の背面に重複して収納されている。
【０２８１】
ディスプレイ付き耳当て部３０６、耳当て部３０７を取り出して、アーム３０３を回動機構３０５より回動させることで、携帯電話３００の長さは倍になり、ヘッドホン使用のためのアーム部となる。
【０２８２】
なお、回動機構３０５は、そのねじりコイルバネ３０９のねじれによって、アーム３０２、３０３を閉の方向に付勢し、使用者の頭部に押圧もしている。
【０２８３】
従って、携帯電話３００は、回動機構３０５、バネ機構２８０、コイルバネ３１５、３１６によって各部を付勢し、ヘッドホン形状を保持できる。
【０２８４】
以上により、簡単な操作でヘッドホンとしても携帯電話としても使用でき、コンパクトに折り畳み可能な携帯電話３００を提供することが可能である。
【０２８５】
次に、本発明の第９実施形態について説明する。図４８は、本実施形態における携帯電話３５０を、ヒンジ３５１より開いた状態での正面図であり、図４９は折り畳んだ状態での側面図である。
【０２８６】
携帯電話３５０は、ディスプレイ部３５３と操作部３５５が、ヒンジ３５１によって着脱可能に接続されており、ディスプレイ面３５３ａ、操作面３５５ａの各背面には、ヘッドホンスピーカ３５８、３６１を有する耳掛けフック３５７、３５９が配設されている。
【０２８７】
図４８に示すように、ディスプレイ部３５３のディスプレイ面３５３ａには、ディスプレイ３６０と通話用スピーカ３６２が配設されている。
【０２８８】
また、操作部３５５の操作面３５５ａには、十字キー等３６４と、ダイヤルキー３６６が配設されており、更に、リモコン用穴３６８が開口している。
【０２８９】
リモコン用穴３６８には、携帯電話３５０に対して着脱可能なリモコン３７０が収納されている。リモコン３７０には、サブディスプレイ３７１、操作キー３７２、マイク３７３が配設されており、収納状態においても取り外した状態であっても使用可能となっている。
【０２９０】
ヒンジ３５１は、第２実施形態のヒンジ３１と同様に着脱可能となっており、携帯電話３５０はヒンジ３５１よりディスプレイ部３５３と操作部３５５を分離できるようになっている。
【０２９１】
ヒンジ３５１より分離し、耳掛けフック３５７、３５９によって両耳に装着することで、ヘッドホンとして使用することができるようになっている。
【０２９２】
なお、耳掛けフック３５７、３５９は、携帯電話３５０の内部に収納可能であってもよい。そのときの本体ケース３７５を図５０に、収納時の様子を図５１に示す。
【０２９３】
図５０に示すように、本体ケース３７５の背面には、耳掛け収納穴３７７が形成されている。耳掛け収納穴３７７の端部には、一段浅い棚部３７７ａが形成されており、また側部内壁には溝３７９が刻設されている。
【０２９４】
溝３７９は、開口部側に刻設された、長溝３７９ａと、底部側に刻設された、短溝３７９ｂの両端部を、縦溝３７９ｃが接続した鍵の手状となっている。
【０２９５】
図５１の（ａ）は耳掛けフック３５７の収納時の状態である。耳掛けフック３５７の側部には、ガイド突起３８１が突設しており、溝３７９の短溝３７９ｂへ嵌入している。
【０２９６】
耳掛けフック３５７を使用する場合には、図５１（ｂ）に示すように、ガイド突起３８１を縦溝３７９ｃを介して長溝３７９ａの上端部まで移動させることで、使用可能となっている。
【０２９７】
かかる構成において、携帯電話３５０は、通常の携帯電話と同様に、通話及び通信等を行うことができるが、図５２に示すように、ヒンジ３５１よりディスプレイ部３５３と操作部３５５を分離させ、耳掛けフック３５７、３５９によって装着することで、ヘッドホンとして使用することも可能である。
【０２９８】
ディスプレイ部３５３と、操作部３５５、リモコン３７０は、図５２のようにコード等による有線による通信であってもよいし、無線でもよい。
【０２９９】
ヘッドホンとして使用するときには、リモコン３７０のサブディスプレイ３７１や操作キー３７２によって、手元で曲選択等を行うことができる。更に、この状態で携帯電話に着信があった場合等には、リモコン３７０を口元にあてて、マイク３７３を使用すれば、そのままの状態で携帯電話機能を使用することができる。
【０３００】
なお、ヘッドホンスピーカ３５８、３６１の代わりに、図８０に示すような、耳孔挿入用突設部材７１５を配設した、ヘッドホンスピーカ７２０を用いてもよい。
【０３０１】
以上により、収納時には従来の携帯電話と同様の形態でありながら、ヒンジ３５１より分離させて耳に装着するだけの簡単な操作でヘッドホンとしての使用も可能な携帯電話を提供することができる。
【０３０２】
次に、本発明の第１０実施形態について説明する。図５３は、本実施形態における、携帯電話４００を展開したときの正面図であり、図５４は折り畳んだ状態の側面図である。携帯電話４００は、ヒンジ４０１で接続された２枚のキーボード部４０３Ａ、４０３Ｂと、キーボード部４０３Ａの側部にヒンジ４０５によって接続されたディスプレイ部４０７の三部から構成されている。
【０３０３】
キーボード部４０３Ａ、４０３Ｂにはフルキーボード４０９が、ディスプレイ部４０７にはディスプレイ４１１と、タッチペン４１２が配設されている。
【０３０４】
図５４の折り畳み状態から、ヒンジ４０１のみ開いた状態では、ディスプレイ部４０７のディスプレイ面４０７ａは内側へ折り畳まれている。図５５にこのときの状態を示す。
【０３０５】
ディスプレイ面４０７ａの裏面であり、図５５において折り畳まれた状態で表出している操作面４０７ｂには、サブディスプレイ４１７と、十字キー等４１９、ダイヤルキー４２１が配設されており、携帯電話として使用する場合の各種操作が行えるようになっている。
【０３０６】
また、ディスプレイ面４０７ａには通話用スピーカ４２２が、キーボード部４０３Ｂには通話用マイク４２３が配設されており、図５５の状態で携帯電話として通話することができるようになっている。
【０３０７】
ディスプレイ部４０７を更に展開することで、ディスプレイ４１１が表出し、同時にフルキーボード４０９を使用できるようになっている。
【０３０８】
図５４に示すように、キーボード部４０３Ａ、４０３Ｂの背面には、耳掛けフック４１４、４１５が収納可能に配設されている。携帯電話４００は、第２実施形態のヒンジ３１と同様に、ヒンジ４０１、４０５から、キーボード部４０３Ａ、４０３Ｂ、ディスプレイ部４０７を分離可能であり、キーボード部４０３Ａ、４０３Ｂは、耳掛けフック４１４、４１５によってヘッドホンとして装着可能となっている。
【０３０９】
かかる構成において、携帯電話４００は、図５５に示すように、ヒンジ４０１のみを開いて、通常の携帯電話と同様の形態及び機能で使用することもできるが、図５３に示すように、更にヒンジ４０５を開くことによって、ディスプレイ４１１とフルキーボード４０９を使用し、ノートパソコンと同等の作業を行うこともできる。また、ディスプレイ部４０７に配設されたタッチペン４１２によって、タブレット方式での使用も可能である。
【０３１０】
更に、各部はヒンジ４０１、４０５より分離可能となっている。図５６に示すように、耳掛けフック４１４、４１５によって耳に装着し、ポータブル音楽プレイヤーとして使用することもできる。
【０３１１】
このとき、ディスプレイ部４０７はリモコンとして使用できる。ディスプレイ部４０７と、耳に装着したキーボード部４０３Ａ、４０３Ｂは、図示するようなコード等による有線で通信をしてもよいし、無線通信であってもよい。
【０３１２】
リモコンの入力は、操作面４０７ｂのダイヤルキー４２１、十字キー等４１９で操作してもよいし、ディスプレイ面４０７ａのディスプレイ４１１にタッチペン４１２で入力してもよい。ソフトキーボードを搭載することで、リモコン状態であっても、文書等の作成が可能である。
【０３１３】
なお、図５６に示すように、コード等による通信とした場合には、このコード等をストラップと兼用できるようにしてもよい。このときの様子を図７５に示す。ストラップ４２５は、一端が各キーボード部４０３Ａ、４０３Ｂに接続された２本のコード４２５Ａ、４２５Ｂと、その他端を束ねる接触部４２５Ｃから構成されている。
【０３１４】
ディスプレイ部４０７を取り外した場合には、ストラップ４２５の接触部４２５Ｃをディスプレイ部４０７の穴４２７へと差し込めばよい。これにより、キーボード部４０３Ａ、４０３Ｂとディスプレイ部４０７の間の通信を行うことができる。
【０３１５】
また、耳掛けフック４１４、４１５を用いて装着する代わりに、図８０に示すような、耳孔挿入用突設部材７１５を配設した、ヘッドホンスピーカ７２０を用いてもよい。
【０３１６】
以上により、ＰＤＡと同等の機能を搭載し、コンパクトに折り畳み可能であり、ポータブル音楽プレイヤーとしても使用可能な携帯電話を提供することが可能である。
【０３１７】
次に本発明の第１１実施形態について説明する。図５７は、本実施形態における携帯電話４５０の斜視図である。携帯電話４５０は、ディスプレイ部４５２と操作部４５４の２つの箱体から構成されている。
【０３１８】
ディスプレイ部４５２は、操作部４５４よりも一回り大きく、内部が空洞となっており、操作部４５４はディスプレイ部４５２の内部に収納可能となっている。
【０３１９】
ディスプレイ部４５２、操作部４５４の内部には、図示しない耳掛け部を収納するための耳掛け収納部４５２ａ、４５４ａがそれぞれ形成されている。また、操作部４５４には、ディスプレイ部４５２内に収納したときにディスプレイ部４５２の耳掛け収納部４５２ａと触突しないための切り欠き４５４ｂが形成されている。
【０３２０】
ディスプレイ部４５２の外部上面には、ディスプレイ４５７とスピーカ４５９が配設されている。また、操作部４５４の上面には十字キー等４６１と、マイク４６３が配設されている。
【０３２１】
ディスプレイ部４５２内部から引き出した操作部４５４は、図示しないフック等の掛止機構により落脱が防止されており、図５７に示す状態で、携帯電話として通話及び通信が可能となっている。
【０３２２】
ディスプレイ部４５２及び操作部４５４の背面には、第９実施形態と同様に、耳掛けフックが収納されており、ヘッドホンとしても使用できるようになっている。
【０３２３】
ディスプレイ部４５２の側部には、解除ボタン４６５が設けられており、操作部４５４の掛止機構を解除することができるようになっている。解除ボタン４６５を押しながら操作部４５４を引き出すことで、ディスプレイ部４５２と操作部４５４を分離することができるようになっている。
【０３２４】
かかる構成により、携帯電話４５０は、コンパクトに収納でき、操作部４５４を引き出すことで携帯電話としての使用も可能である。更に、解除ボタン４６５を押しながら、ディスプレイ部４５２と操作部４５４を分離させ、背面の図示しない耳掛けフックによって耳に装着することで、ヘッドホンとして使用することもできる。
【０３２５】
ヘッドホン使用時のディスプレイ部４５２と操作部４５４は、コード等による有線でも、無線でもよい。
【０３２６】
ヘッドホン使用時に携帯電話４５０に着信があった場合には、操作部４５４を耳から外し、レシーバとして手に持って会話をすればよい。
【０３２７】
なお、ディスプレイ部４５２の、スピーカ４５９とは反対側端部にマイク穴４６７を設けることで、操作部４５４を収納した状態でマイク４６３を使用できるようになる。従って、操作部４５４を引き出さなくても通話を可能とすることができる。
【０３２８】
また、ディスプレイ部４５２、操作部４５４は、耳掛けフックを用いて装着する代わりに、図８０に示すような、耳孔挿入用突設部材７１５を配設した、ヘッドホンスピーカ７２０を用いて装着してもよい。
【０３２９】
以上により、簡単な構成であり、かつ簡単な操作で、ヘッドホンへ変形できる携帯電話４５０を提供することが可能である。
【０３３０】
次に、本発明の第１２実施形態について説明する。
図５８は、本実施形態における携帯電話４７０の全体構成斜視図である。携帯電話４７０はディスプレイ部４７２と、操作部４７４が、爪４７９によって掛合されている。
【０３３１】
ディスプレイ部４７２のディスプレイ面４７２ａには、ディスプレイ４８１が配設されている。爪４７９はディスプレイ面４７２ａの四隅に突設しており、操作部４７４の操作面４７４ａに形成された嵌合穴４８２と掛合するようになっている。
【０３３２】
操作面４７４ａには、十字キー等４８３、ダイヤルキー４８４が配設されており、各種操作を行えるようになっている。
【０３３３】
かかる構成において、携帯電話４７０は、爪４７９から分離することで、簡単に２部材へと分離可能であり、両耳に装着して、ヘッドホンとして使用することができる。
【０３３４】
操作部４７４を携帯電話の通話機能（送話口４９１及び受話口４９３を操作部４７４に配設）に使用し、ディスプレイ部４７２を任意の位置で使用すれば、テレビ電話にも便利に活用できる。
【０３３５】
また、収納時には、ディスプレイ面４７２ａ、操作面４７４ａは内側となるため、破損や誤操作の心配がない。
【０３３６】
なお、ディスプレイ部４７２、操作部４７４は、耳掛けフックのみでなく、図８０に示すような、耳孔挿入用突設部材７１５を配設した、ヘッドホンスピーカ７２０を用いて装着してもよい。
【０３３７】
以上により、簡単な構成で、かつ簡単に分離可能な、ヘッドホンとしても使用できる携帯電話を提供することができる。
【０３３８】
次に、本発明の第１３実施形態について説明する。
図５９は、本実施形態における携帯電話５００の折り畳み側面図である。携帯電話５００は、ディスプレイ付き耳掛け部５０３と操作部付き耳掛け部５０５が、アーム５０９、５１１によって継合されている。図６０は携帯電話使用時の側面図であり、図６１はその正面図である。
【０３３９】
ディスプレイ付き耳掛け部５０３は、ディスプレイ５０４が配設されたディスプレイ面５０４ａと、その裏面に配設されたヘッドホンスピーカ５１３と、その側部に配設された耳掛けフック５１４から構成されている。
【０３４０】
耳掛けフック５１４には、コイルバネ５１８を介して接続部材５１９が突設されている。接続部材５１９は、ヒンジ５２１によってアーム５０９と継合されている。
【０３４１】
同様に、操作部付き耳掛け部５０５には、十字キー等５０７が配設された操作面５０５ａと、ヘッドホンスピーカ５１５と、耳掛けフック５１６から構成され、コイルバネ５２０、接続部材５２２、ヒンジ５２３によって、アーム５１１と継合されている。
【０３４２】
アーム５０９、５１１は、ヒンジ５０１によって回動可能に継合されており、図６０、図６１に示すように、開いて携帯電話として使用できるようになっている。ディスプレイ面５０４ａには、通話用スピーカ５２５が、接続部材５２２には通話用マイク５２７が配設されている。
【０３４３】
携帯電話５００を、ポータブル音楽プレイヤーとして使用する場合には、図６０の状態から更に、ディスプレイ付き耳掛け部５０３、操作部付き耳掛け部５０５を開くようになっている。なお、本実施形態では、アーム５０９、５１１は、使用者の頭頂部ではなく首の上を通るネックアームである。
【０３４４】
また、ヒンジ５０１には第４実施形態と同様の角度調節機構１３８が、ヒンジ５２１、５２３には第７実施形態と同様のバネ機構２８０が配設され、アーム５０９、５１１及びディスプレイ付き耳掛け部５０３、操作部付き耳掛け部５０５を内側へと押圧している。
【０３４５】
更に、耳掛けフック５１４、５１６と接続部材５１９、５２２間に介在するコイルバネは、ディスプレイ付き耳掛け部５０３、操作部付き耳掛け部５０５を使用者の耳へと押圧するようになっている。
【０３４６】
図６２は、ヘッドホン使用時の正面図である。操作部付き耳掛け部５０５には、第４実施形態と同様のケーブル式マイク１５０もしくは伸縮式マイク１５５が配設されている。
【０３４７】
また、ディスプレイ付き耳掛け部５０３、操作部付き耳掛け部５０５には、第５実施形態と同様に、ベアリング１８５が配設されている。
【０３４８】
アーム５０９、５１１の長さは、接続部材５１９、５２２によって調節可能となっている。図６３は、接続部材５１９の周辺拡大図である。接続部材５１９は、図６３に示すように伸縮式となっており、使用者に合わせた長さに設定可能である。
【０３４９】
かかる構成により、携帯電話５００はコンパクトに折り畳んでの携帯が可能であり、ヒンジ５０１より開くことで通常の携帯電話として使用することができる。  携帯電話状態での通話は、ディスプレイ面５０４ａの通話用スピーカ５２５と、接続部材５２２の通話用マイク５２７を使用する。
【０３５０】
ディスプレイ５０４と、十字キー等５０７によって、各種入力が行える。ソフトキーボード等を搭載することにより、文書等の作成も可能である。
【０３５１】
ヘッドホンとして使用する場合には、背面の角度調節機構１３８を調整し、ヒンジ５２１、５２３よりディスプレイ付き耳掛け部５０３、操作部付き耳掛け部５０５を開く。
【０３５２】
ヒンジ５２１、５２３にもバネ機構２８０が配設されているため、自然に開いた状態では、使用角度よりも狭く設定されているが、装着時に、内蔵されたバネによって外側へ開いて装着することで、使用者にあった角度で押圧することができる。
【０３５３】
アーム５０９、５１１を後頭部に渡し、耳掛けフック５１４、５１６を耳に掛け、ベアリング１８５によって、ディスプレイ付き耳掛け部５０３、操作部付き耳掛け部５０５を調整することで、使用者に合わせた装着感を得ることができる。
【０３５４】
なお、アーム５０９、５１１の長さは、接続部材５１９、５２２、によって調節可能である。接続部材５１９、５２１は、図６３に示すように、伸縮式であるため、使用者の適当な位置に設定できる。
【０３５５】
ディスプレイ付き耳掛け部５０３、操作部付き耳掛け部５０５は、装着するとディスプレイ面５０４ａ、操作面５０５ａが外側になる。従って、耳に装着した状態で、十字キー等５０７を使い、曲選択等を行うこともできる。
【０３５６】
以上により、ネックアーム及び耳掛けフック方式であるため頭部への圧迫が少なく、快適な装着感を得られるヘッドホンとしても使用可能であり、折り畳み時にはコンパクトに携帯可能な携帯電話を提供することが可能となる。
【０３５７】
なお、本実施形態において、ヒンジ５０１は、図６４に示すように、２つの回動部から構成されたヒンジ５２９にしてもよい。折り畳み時の形態を更にコンパクトにすることが可能となる。
【０３５８】
さらに、ディスプレイ付き耳掛け部５０３、操作部付き耳掛け部５０５に配設されたヘッドホンスピーカの代わりに、図８０に示すような、耳孔挿入用突設部材７１５を配設した、ヘッドホンスピーカ７２０を用いてもよい。このとき、耳掛けフック５１４、５１６はなくてもよい。
【０３５９】
次に、本発明の第１４実施形態について説明する。
本実施形態において、携帯電話５５０は、通話機能付き耳掛け部５５３と操作部付き耳掛け部５５５が、コード５５７によって繋がれており、アームを有しない構造となっている。
【０３６０】
図６５は、携帯電話５５０をヘッドホンとして使用したときの状態であり、図６６は折り畳んだ携帯時の状態の側面図である。
【０３６１】
通話機能付き耳掛け部５５３は、本体５５９と、ヘッドホンスピーカ５６１と、耳掛けフック５６３から構成されている。本体５５９はディスプレイ部５５９ａと操作部５５９ｂが、ヒンジ５６５によって回動可能に接合されている。
【０３６２】
図６７は、ヒンジ５６５から本体５５９を開いたときの状態である。ディスプレイ部５５９ａにはディスプレイ５６７、カメラ５６９、通話用スピーカ５７１が、操作部５５９ｂには、ダイヤルキー５７３と通話用マイク５７７が配設されている。
【０３６３】
ヒンジ５６５から折り畳んだ状態では、ディスプレイ部５５９ａ、操作部５５９ｂは内側へ収納されており、折り畳んだ表面には、操作部付き耳掛け部５５５と接合するための、爪５７５が突設されている。
【０３６４】
図６８は、操作部付き耳掛け部５５５の正面図である。本体５７９の操作面５７９ａには十字キー等５８１が配設されており、爪５７５が嵌合する爪用穴５８３が形成されている。また、操作面５７９ａの裏面には、ヘッドホンスピーカ５６２が、その側部には耳掛けフック５６４が配設されている。
【０３６５】
図６６に示すように、通話機能付き耳掛け部５５３と、操作部付き耳掛け部５５５は、爪５７５によって一体化し、持ち運ぶことができるようになっている。通話機能付き耳掛け部５５３と操作部付き耳掛け部５５５を繋ぐコード５５７は、結合時には通話機能付き耳掛け部５５３又は操作部付き耳掛け部５５５の内部にリール等によって巻回され、収納されている。
【０３６６】
なお、コード５５７は、図７１に示すように、収納しないままストラップとして利用するようにしてもよい。
【０３６７】
次に、本発明の第１４実施形態の作用について説明する。
携帯電話５５０は、図６６に示すように、コンパクトに折り畳んでの携帯が可能である。この状態より、携帯電話として使用する場合には、ヒンジ５６５より開くことで、通話機能付き耳掛け部５５３と操作部付き耳掛け部５５５を結合させたままの状態でも通話が可能である（図示略）。
【０３６８】
ヘッドホン使用時には、通話機能付き耳掛け部５５３と操作部付き耳掛け部５５５が分離されたことを図示しないリミットスイッチが感知する。そして、スピーカ機能が通話用スピーカ５７１からヘッドホンスピーカ５６１、５６２へと切り替わる。
【０３６９】
図６９、図７０は携帯電話５５０の使用イメージ図である。図６９はヘッドホン状態で、ポータブル音楽プレイヤーとして使用している状態であり、図７０は、ヘッドホン状態のまま、携帯電話として通話を行っている様子である。
【０３７０】
通話機能付き耳掛け部５５３、操作部付き耳掛け部５５５は耳掛けフック５６３、５６４によって耳に装着することができる。このとき、操作部付き耳掛け部５５５の本体操作面５７９ａが外面へと現れているため、耳に装着したままの状態で十字キー等５８１を操作し、曲選択等を行うこともできる。
【０３７１】
携帯電話に着信があった場合には、図７０に示すように、通話機能付き耳掛け部５５３を耳から外し、マイクとして使用すればよい。スピーカは操作部付き耳掛け部５５５のヘッドホンスピーカ５６２を使用する。
【０３７２】
なお、通話機能付き耳掛け部５５３に、図２５のケーブル式マイク１５０や、図２７の伸縮式マイク１５５を配設すれば、耳に装着したままでの通話も可能である。
【０３７３】
通話機能付き耳掛け部５５３は、ヒンジ５６５を閉じたままの状態で、マイク機能のみを使用してもよいが、図６７に示すように、ヒンジ５６５を開いて使用すれば、ディスプレイ５６７、カメラ５６９を用いてテレビ電話を楽しむこともできる。図６７は、操作部付き耳掛け部５５５を通話機能付き耳掛け部５５３より取り外した場合を示しているが、操作部付き耳掛け部５５５を取り付けた状態であっても同様に使用できる。
【０３７４】
なお、ヘッドホンスピーカ５６１、５６２の代わりに、図８０に示すような、耳孔挿入用突設部材７１５を配設した、ヘッドホンスピーカ７２０を用いてもよい。このとき、耳掛けフック５６３、５６４を配設する必要がない。
【０３７５】
以上により、コンパクトに携帯でき、ポータブル音楽プレイヤーとしてヘッドホン状態での使用も可能であり、折り畳み状態から携帯電話もしくはヘッドホンへ、又はヘッドホンから携帯電話へと、簡単に変形可能な携帯電話を提供することができる。
【０３７６】
次に、本発明の第１５実施形態について説明する。
図７２は、各実施形態において利用可能な、耳当て部５８２の部分拡大図である。図７２（ａ）は、耳当て部５８２のヘッドホンスピーカ側正面図であり、図７２（ｂ）はその側面図である。
【０３７７】
耳当て部５８２のヘッドホンスピーカ面には、中心にヘッドホンスピーカ５８４が、その周部に治療パッド５８６が配設されている。治療パッド５８６は低周波パルスを耳に対し伝達する機能を有しており、更に、温熱ヒーター５８８を埋設し、患部を暖めることができるようになっている。
【０３７８】
図７３は、耳当て部５８２を配設した携帯電話５９０の正面図である。携帯電話５９０の操作面には、周波数設定ボタン５９２、治療モード設定ボタン５９４、強さ設定ボタン５９６、温度ボタン５９８、スタートボタン６０１が配設されている。また、携帯電話５９０の操作面両端部には、通話用マイク６１５と、スピーカ６１７が配設されており、通話が行われるようになっている。
【０３７９】
携帯電話５９０は、その背面に、治療機能付き耳掛け部６０３、６０５を収納できるようになっている。治療機能付き耳掛け部６０３、６０５は、図７２の耳当て部５８２に耳掛けフック６０７、６０８が配設されており、耳に装着できるようになっている。
【０３８０】
治療機能付き耳掛け部６０３、６０５は、携帯電話５９０と、コード６０９によって接続されている。コード６０９は携帯電話５９０の内部にリール等により巻回されており、収納可能である。
【０３８１】
図７４は、本実施形態のブロック図である。携帯電話５９０では、治療パッド５８６の、発生低周波の強弱、周波数、また、温熱ヒーター５８８の温度、ヘッドホンスピーカ５８４の音量を制御することができるようになっている。
【０３８２】
かかる構成において、携帯電話５９０は、治療機能付き耳掛け部６０３、６０５を収納したままの状態で、携帯電話として使用することも、治療機能付き耳掛け部６０３、６０５を引き出し、耳に装着して使用することも可能である。
【０３８３】
耳に装着して使用する場合には、スピーカ機能はヘッドホンスピーカ５８４へと移行する。マイク機能は携帯電話５９０に配設された、通話用マイク６１５を利用するため、通話時には携帯電話５９０を口元にあてて使用する。
【０３８４】
また、治療機能付き耳掛け部６０３、６０５を取り出した後の携帯電話５９０のディスプレイ６１１、カメラ６１３を使用して、テレビ電話として楽しむこともできる。
【０３８５】
更に、治療機能付き耳掛け部６０３，６０５を耳に装着することにより、ヘッドホン状態での音楽鑑賞を楽しめる他、その状態で治療パッド５８６から発生する低周波パルス等による耳部マッサージを受けることができる。
【０３８６】
操作面に配設された治療モード設定ボタン５９４によって、高周波治療、低周波治療、温熱治療等治療のモードを選択できる。
【０３８７】
また、周波数設定ボタン５９２により、細かな周波数の設定や、強さ設定ボタン５９６により刺激の強弱や、温度ボタン５９８により温熱ヒーター５８８の制御が行えるため、使用者の好みや用途に細やかに対応できる。
【０３８８】
耳部を暖めながら音楽鑑賞や低周波治療等を行えることに加え、冬季には防寒にも役立つ。また、耳部のツボを暖めながら刺激することにより、痩身効果を得ることもできる。
【０３８９】
耳当て部５８２は、各実施形態で示したと同様に、バネ等により耳部に押圧する形態であってもよいし、耳掛けフック等により耳部に掛ける形態のものであってもよい。
なお、治療パッド５８６は耳当て部５８２に添付され、交換可能である。
【０３９０】
以上により、携帯電話で会話をしながら、又は音楽を楽しみながら、マッサージや温熱治療を受けることが可能な携帯電話５９０を提供することができる。
【０３９１】
更に、本発明において、ヘッドホンスピーカは、図７６に示すようなインナーマイク内蔵スピーカ６５０にしてもよい。図７６（ａ）は、インナーマイク内蔵スピーカ６５０の簡略構成正面図であり、（ｂ）はその側面図である。
【０３９２】
インナーマイク内蔵スピーカ６５０は、ヘッドホンスピーカ６５２から、インナーマイク６５４の突起部６５４ａが突設されている。突起部６５４ａが耳孔内で耳骨の振動を感知して音声に変換することで、騒音の激しい場所や、大きな声を発することが困難な場所であっても、快適な通話を行うことが可能であり、更に、別途マイクを設ける必要もない。
【０３９３】
次に、本発明の第１６実施形態について説明する。図７７は本実施形態の簡略斜視図である。ヘッドホン７００には、携帯電話７０２が着脱自在となっている。携帯電話７０２は、ヘッドホン７００から取り外した状態では、通常の携帯電話と同様に通話、通信を行うことが可能であり、テレビ電話としても使用できる。なお、端子部の図示は省略する。
【０３９４】
かかる構成において、ヘッドホン７００は、単体で、図示しない他の音楽プレイヤーと、端子接続することで使用することもできるが、携帯電話７０２と端子接続することで、携帯電話７０２に内蔵された音楽データを聴くことができる。
【０３９５】
また、ヘッドホン７００に携帯電話７０２を装着した状態で着信のあった場合には、ヘッドホン７００のスピーカ７０５が通話用スピーカへと切り替わり、そのまま通話へと移行することができる。
【０３９６】
このときのマイクは、第４実施形態と同様に伸縮式もしくは可撓式のマイクをヘッドホン７００に配設してもよいし、インナー型マイクを用いてもよい。
【０３９７】
以上により、既存のヘッドホン及び携帯電話の形状を襲用し、簡単な構造で携帯電話機能付きヘッドホンを構成することが可能である。
【０３９８】
なお、ヘッドホン７００と携帯電話７０２は、有線、無線により連絡されるようにしてもよい。また、携帯電話７０２を再生などのリモコンとしても機能させることができる。更に、携帯電話７０２とヘッドホン７００とは、それぞれ独立して使用することも可能である。
【図面の簡単な説明】
【０３９９】
【図１】第１実施形態の全体図
【図２】第１実施形態の折り畳み側面図
【図３】携帯電話１のヘッドホン使用時の様子
【図４】図３中のＡ矢視線図
【図５】第２実施形態の正面図
【図６】第２実施形態の折り畳み側面図
【図７】携帯電話３０の通話時の様子
【図８】ヒンジ３１の周辺拡大図
【図９】ヒンジ３１の部分断面図
【図１０】ディスプレイ部３３と操作部３５の分離状態図
【図１１】ソケット付きヒンジ３４の図
【図１２】第３実施形態の全体図
【図１３】第３実施形態の折り畳み側面透過図
【図１４】携帯電話６０の取り出し方断面図
【図１５】第４実施形態の正面図
【図１６】図１５の側面図
【図１７】図１５の中央断面図
【図１８】携帯電話１００のヘッドホン使用時の様子
【図１９】引き出したヘッドホンアーム１２０の側面部分拡大図
【図２０】携帯電話１００の背面透過図
【図２１】角度調節機構１３８の拡大側面図
【図２２】角度調節機構１３８の拡大正面図
【図２３】携帯電話１００の側面透過図
【図２４】操作部付き耳当て部１０７の周辺透過図
【図２５】ケーブル式マイク１５０の引き出し図
【図２６】伸縮式マイク１５５の収納時部分拡大透過図
【図２７】伸縮式マイク１５５を引き出したときの様子
【図２８】図２６中のＤ−Ｄ矢視線断面図
【図２９】携帯電話１００の折り畳み図
【図３０】ヘッドホン使用時の携帯電話１００の背面透過図
【図３１】ヘッドホン使用時の携帯電話１００の全体図
【図３２】第５実施形態の正面図
【図３３】第５実施形態の側面透過図
【図３４】ディスプレイ付き耳掛け部１６８の部分拡図
【図３５】ディスプレイ付き耳掛け部１６８の分解構成図
【図３６】ヘッドホン使用時のディスプレイ付き耳掛け部１６８の部分拡大図
【図３７】第６実施形態の正面図
【図３８】第６実施形態の側面透過図
【図３９】摺動カバー２０１の周辺部分拡大図
【図４０】摺動カバー２０１とヘッドホンアーム１９６の移動の様子
【図４１】携帯電話１９０の折り畳み図
【図４２】第７実施形態の折り畳み側面透過図
【図４３】第７実施形態の携帯電話使用時の側面透過図
【図４４】第７実施形態の携帯電話使用時の正面図
【図４５】携帯電話２５０のヘッドホン使用時の様子
【図４６】バネ機構２８０の部分拡大図
【図４７】第８実施形態の背面透過図
【図４８】第９実施形態の正面図
【図４９】携帯電話３５０の折り畳み側面図
【図５０】本体ケース３７５の立体図
【図５１】耳掛けフック３５７の収納時の様子
【図５２】携帯電話３５０のヘッドホン使用時の様子
【図５３】第１０実施形態の正面図
【図５４】携帯電話４００の折り畳み側面図
【図５５】携帯電話４００の通話使用時の様子
【図５６】携帯電話４００のヘッドホン使用時の様子
【図５７】第１１実施形態の斜視図
【図５８】第１２実施形態の斜視図
【図５９】第１３実施形態の折り畳み側面図
【図６０】携帯電話５００の通話使用時の側面図
【図６１】図６０の正面図
【図６２】携帯電話５００のヘッドホン使用時の上面図
【図６３】接続部材５１９の周辺拡大図
【図６４】ヒンジ５２９を用いた携帯電話５００の折り畳み側面図
【図６５】第１４実施形態におけるヘッドホン使用時の様子
【図６６】第１４実施形態の折り畳み側面図
【図６７】ヒンジ５６５から開いたときの様子
【図６８】操作部付き耳掛け部５５５の正面図
【図６９】携帯電話５５０のヘッドホン使用イメージ図
【図７０】携帯電話５５０の通話時使用イメージ図
【図７１】コード５５７のストラップ兼用図
【図７２】第１５実施形態の拡大図
【図７３】耳当て部５８２を配設した携帯電話５９０の正面図
【図７４】第１５実施形態のブロック図
【図７５】携帯電話４００のコード４２５のストラップ兼用図
【図７６】インナーマイク内蔵スピーカ６５０図
【図７７】第１６実施形態の簡略斜視図
【図７８】複数の段差を有する調節板１３９を用いた場合の背面図
【図７９】図７８の側面部分断面図
【図８０】ヘッドホンスピーカ７２０図
【図８１】耳孔挿入型スピーカ７３０図
【符号の説明】
【０４００】
１、３０、６０、１００、１６０、１９０、２５０、３００、３５０、４００、４５０、４７０、５００、５５０、５９０、７０２  携帯電話
５、３１、３４、６２、１０１、１６２、１９１、２５１、３０１、３０４、３５１、４０１、４０５、５０１、５２１、５２３、５２９、５６５  ヒンジ
７、４３、７３、１０６、１７３、２１５、２６３、３６０、４１１、４５７、４８１、５０４、５６７、６１１  ディスプレイ
１２、５６９、６１３  カメラ
１５  リモコン部
１９  耳掛け部
２３、８１、２１７、２６７、３６２、４２２、５２５、５７１  通話用スピーカ
２５、２２１、２６９、４２３、５２７、５７７  通話用マイク
２７、３７、７５、７６、１６５、１６６、３５７、２５９、４１４、４１５、５１４、５１６、５６３、５６４、６０７、６０８  耳掛けフック
２８、４０、７７、７８、１７１、３５８、５１３、５１５、５６１、５６２、５８４、６５２、７２０  ヘッドホンスピーカ
３３  ディスプレイ部
３５  操作部
３６  ソケット雄
３７  ソケット雌  
４１、８２、３７３、４６３、  マイク
４２、４５９、６１７  スピーカ
５１  着脱ボタン
６７  ディスプレイ収納部
６９  蓋部
１０３、１０４、１３０、１９５、１９６  ヘッドホンアーム
１０５、２１１  ディスプレイ付き耳当て部
１０７、２１３  操作部付き耳当て部
１１３、３７０  リモコン
１２０  アーム本体
１３８  角度調節機構
１４０  ガイドネジ
１５０  ケーブル式マイク
１５５  伸縮式マイク
１５７  リミットスイッチ
１６８  ディスプレイ付き耳掛け部
１６９、５５５  操作部付き耳掛け部
１８５  ベアリング
２０１、２０２  摺動カバー
２５９、３０２、３０３、５０９、５１１  アーム
３０５  回動機構
３０９、３１５、５１８、５２０  コイルバネ
３５３、４０７、４５２、４７２  ディスプレイ部
３５５、４５４、４７４  操作部
４０３  キーボード部
４０９  フルキーボード
４２５  ストラップ
４９１  送話口
４９３  受話口
５５３  通話機能付き耳掛け部
５８２  耳当て部
５８６  治療パッド
５８８  温熱ヒーター
６０３、６０５  治療機能付き耳掛け部
６５０  インナーマイク内蔵スピーカ
６５４  インナーマイク
７００  ヘッドホン
７１５  耳孔挿入用突設部材
７３０  耳孔挿入型スピーカ
【図１】
0004705136.tif 000002
【図２】
0004705136.tif 000003
【図３】
0004705136.tif 000004
【図４】
0004705136.tif 000005
【図５】
0004705136.tif 000006
【図６】
0004705136.tif 000007
【図７】
0004705136.tif 000008
【図８】
0004705136.tif 000009
【図９】
0004705136.tif 000010
【図１０】
0004705136.tif 000011
【図１１】
0004705136.tif 000012
【図１２】
0004705136.tif 000013
【図１３】
0004705136.tif 000014
【図１４】
0004705136.tif 000015
【図１５】
0004705136.tif 000016
【図１６】
0004705136.tif 000017
【図１７】
0004705136.tif 000018
【図１８】
0004705136.tif 000019
【図１９】
0004705136.tif 000020
【図２０】
0004705136.tif 000021
【図２１】
0004705136.tif 000022
【図２２】
0004705136.tif 000023
【図２３】
0004705136.tif 000024
【図２４】
0004705136.tif 000025
【図２５】
0004705136.tif 000026
【図２６】
0004705136.tif 000027
【図２７】
0004705136.tif 000028
【図２８】
0004705136.tif 000029
【図２９】
0004705136.tif 000030
【図３０】
0004705136.tif 000031
【図３１】
0004705136.tif 000032
【図３２】
0004705136.tif 000033
【図３３】
0004705136.tif 000034
【図３４】
0004705136.tif 000035
【図３５】
0004705136.tif 000036
【図３６】
0004705136.tif 000037
【図３７】
0004705136.tif 000038
【図３８】
0004705136.tif 000039
【図３９】
0004705136.tif 000040
【図４０】
0004705136.tif 000041
【図４１】
0004705136.tif 000042
【図４２】
0004705136.tif 000043
【図４３】
0004705136.tif 000044
【図４４】
0004705136.tif 000045
【図４５】
0004705136.tif 000046
【図４６】
0004705136.tif 000047
【図４７】
0004705136.tif 000048
【図４８】
0004705136.tif 000049
【図４９】
0004705136.tif 000050
【図５０】
0004705136.tif 000051
【図５１】
0004705136.tif 000052
【図５２】
0004705136.tif 000053
【図５３】
0004705136.tif 000054
【図５４】
0004705136.tif 000055
【図５５】
0004705136.tif 000056
【図５６】
0004705136.tif 000057
【図５７】
0004705136.tif 000058
【図５８】
0004705136.tif 000059
【図５９】
0004705136.tif 000060
【図６０】
0004705136.tif 000061
【図６１】
0004705136.tif 000062
【図６２】
0004705136.tif 000063
【図６３】
0004705136.tif 000064
【図６４】
0004705136.tif 000065
【図６５】
0004705136.tif 000066
【図６６】
0004705136.tif 000067
【図６７】
0004705136.tif 000068
【図６８】
0004705136.tif 000069
【図６９】
0004705136.tif 000070
【図７０】
0004705136.tif 000071
【図７１】
0004705136.tif 000072
【図７２】
0004705136.tif 000073
【図７３】
0004705136.tif 000074
【図７４】
0004705136.tif 000075
【図７５】
0004705136.tif 000076
【図７６】
0004705136.tif 000077
【図７７】
0004705136.tif 000078
【図７８】
0004705136.tif 000079
【図７９】
0004705136.tif 000080
【図８０】
0004705136.tif 000081
【図８１】
0004705136.tif 000082